(57)【特許請求の範囲】
【請求項１】
情報を記録している又は情報を記録可能な情報記録媒体を処理する情報記録媒体処理装置であって、
前記情報記録媒体が外部から投入される投入口と、前記情報記録媒体に記録されている情報の読み取り及び／又は前記情報記録媒体に対する情報の書き込みが行われる情報処理部と、前記情報記録媒体を前記投入口から前記情報処理部に誘導する導入路と、前記情報記録媒体を外部に払い出す払出口と、前記情報記録媒体を前記情報処理部から前記払出口に誘導する導出路と、前記情報処理部に連通させられ複数の前記情報記録媒体を同一の平面上において一列に並べて貯留することが可能な貯留部と、前記貯留部に沿って移動可能な移動体とを備え、
前記貯留部に貯留された前記情報記録媒体は、前記移動体の移動に伴って、前記貯留部に沿って移動させられる構成とし、
前記情報処理部、前記導入路、及び／又は、前記貯留部は、装置本体に形成された溝と、前記溝の開口側を閉塞する蓋体との間に形成され、
前記溝の内部における前記情報記録媒体の存在の有無を検出する情報記録媒体検出器を備え、
前記情報記録媒体検出器は、光を投光する投光部と、前記投光部から投光された光を反射する反射部と、前記反射部から反射された光を受光する受光部とを備え、
前記投光部及び前記受光部は、前記装置本体に設けられ、
前記蓋体は、前記装置本体に形成された前記溝に沿って連続的に延びる突設体を有しており、
前記突設体の側面と前記溝の内側面との間には、前記情報記録媒体が前記情報処理部、前記導入路、及び前記貯留部を通過できるように、前記情報記録媒体が挿入可能な隙間が形成され、
前記反射部は、前記突設体の内部において、当該突設体の側面近傍に設けられている、
ことを特徴とする、情報記録媒体処理装置。
【請求項２】
前記情報記録媒体検出器は、前記情報記録媒体が前記導入路に導入されたことを検出可能な位置、及び／又は、前記貯留部における前記情報記録媒体の存在の有無を検出する位置に配置されていることを特徴とする、請求項１に記載の情報記録媒体処理装置。
【請求項３】
前記情報記録媒体を前記貯留部から回収口に誘導する回収路を備え、
前記情報記録媒体が前記回収路を通過したことを検出可能な位置に、前記情報記録媒体検出器を設けたことを特徴とする、請求項１又は２に記載の情報記録媒体処理装置。
【発明の詳細な説明】
【技術分野】
【０００１】
本発明は、例えば遊技店等において金銭の代用等として用いられる情報記録媒体を処理する装置に関する。
【背景技術】
【０００２】
例えばスロットマシン等の遊技機が設置された遊技ホールにおいては、スロットマシンの遊技媒体であるメダルを貸し出すメダル貸出機が、各スロットマシンの側方に、それぞれ一台ずつ配設されている（特許文献１参照）。メダル貸出機は、紙幣が投入されると、その金額に応じた枚数のメダル（例えば千円分の投入金額に対して５０枚のメダル）を払い出すように構成されている。スロットマシンで遊技を行おうとする遊技客は、先ずメダル貸出機に紙幣を投入してメダルを借り受け、そのメダルを利用して遊技を行うようになっている。
【０００３】
また、従来の遊技ホールでは、プリペイドカードあるいは会員カード等として、金額価値（金銭的な価値）情報や顧客情報を記憶できる磁気カード等が広く利用されていたが、近年では、ＩＣコインと呼ばれる情報記録媒体を利用する遊技システムが提案されている（特許文献１、２、３参照）。ＩＣコインは、磁気カード等よりも耐久性が良い、繰り返し使用や洗浄にも耐え得るので経済性にも優れている、偽造が難しく不正使用の防止効果が高い等といった利点を有している。
【０００４】
このようなＩＣコインを利用した遊技システムを構成する場合、上述したメダル貸出機には、ＩＣコインを払い出して遊技客に与える機能やＩＣコインの情報を処理する機能等を有するＩＣコイン処理装置（情報記録媒体処理装置）が組み込まれる。かかるメダル貸出機においては、例えば、遊技客がメダル貸出機に投入した金額価値よりも、遊技客が借り受けた遊技媒体の数に相当する金額価値が少ない状態、即ち釣銭がある状態において、遊技客がスイッチ等を操作した場合に、現金ではなく、釣銭に相当する金額価値が与えられたＩＣコインが払い出されるようになっている。そして、このＩＣコインを精算機に投入することにより、釣銭に相当する現金の支払いを受けることができるようになっている。また、当該ＩＣコインをメダル貸出機に投入すれば、当該ＩＣコインの金額価値（即ち、前述の釣銭に相当する金額価値）を利用して、メダルを借り受けることができるようになっている。
【０００５】
かかるＩＣコイン処理装置は、ＩＣコインに記録されたＩＤコード等の情報の読み取り（又はＩＣコインへの情報の書き込み）等が行われる情報処理部、ＩＣコインを貯留部から情報処理部に移動させる搬送手段、ＩＣコインを外部に払い出す手段等を備えている必要がある。さらに、遊技客の要請に応じて常にＩＣコインを払い出すことが可能な状態にしておくため、金額価値がゼロになっているＩＣコインを貯留しておく貯留部を備えている必要がある。
【０００６】
ところで、このようなＩＣコイン処理装置を内蔵しているメダル貸出機は、スロットマシンの間等の制約されたスペースに設置できるようにするため、横幅が薄くなるように設計することが要求される。従って、ＩＣコイン処理装置についても、横幅が小さくなるように、即ち薄型化を図ることが望まれている。かかる要求に対応するため、例えば貯留部等において、略円盤状のＩＣコインをそれぞれ縦向きにして（両面が略垂直になるように）保持し、略垂直面に沿って並べて収納する構成が提案されている（特許文献２、３参照）。
【０００７】
【特許文献１】特開２００３−０１９３４１号公報
【特許文献２】特開２００１−３３１８３４号公報
【特許文献３】特開２００１−２９３２４２号公報
【発明の開示】
【発明が解決しようとする課題】
【０００８】
しかしながら、従来のＩＣコイン処理装置にあっては、ＩＣコイン処理装置の機能向上を図りながら薄型化を実現することが難しく、そのため、メダル貸出機の薄型化も制限される問題があった。例えば、ＩＣコイン処理装置内の貯留部の容量を増加させることが難しかった。即ち、貯留部にＩＣコインが無くなると、管理者（店員）等がＩＣコインを貯留部に補給する必要があり、そのような補給の手間を減らすためには、貯留部の容量を大きくして、内部に貯留できるＩＣコインの数を増加させることが望ましいが、この場合、ＩＣコイン処理装置が大型化してしまう問題があった。また、ＩＣコインを搬送する搬送手段等の構造が複雑であるために、ＩＣコイン処理装置を小型化することが難しい問題もあった。
【０００９】
また、ＩＣコイン処理装置には、例えばＩＣコインが貯留部に貯留されていることを検出する検出器、ＩＣコインが投入されたことを検出する検出器等を設ける必要があるが、このような検出器をコンパクトに取り付けることが難しく、ＩＣコイン処理装置の薄型化が制限される問題があった。
【００１０】
本発明は、上記の点に鑑みてなされたものであり、ＩＣコイン等の情報記録媒体を貯留する容量を十分に確保でき、かつ、小型化、薄型化を図ることができる情報記録媒体処理装置を提供することを目的とする。
【課題を解決するための手段】
【００１１】
上記課題を解決するため、本発明によれば、情報を記録している又は情報を記録可能な情報記録媒体を処理する情報記録媒体処理装置であって、前記情報記録媒体が外部から投入される投入口と、前記情報記録媒体に記録されている情報の読み取り及び／又は前記情報記録媒体に対する情報の書き込みが行われる情報処理部と、前記情報記録媒体を前記投入口から前記情報処理部に誘導する導入路と、前記情報記録媒体を外部に払い出す払出口と、前記情報記録媒体を前記情報処理部から前記払出口に誘導する導出路と、前記情報処理部に連通させられ複数の前記情報記録媒体を同一の平面上において一列に並べて貯留することが可能な貯留部と、前記貯留部に沿って移動可能な移動体とを備え、前記貯留部に貯留された前記情報記録媒体は、前記移動体の移動に伴って、前記貯留部に沿って移動させられる構成とし、前記情報処理部、前記導入路、及び／又は、前記貯留部は、装置本体に形成された溝と、前記溝の開口側を閉塞する蓋体との間に形成され、前記溝の内部における前記情報記録媒体の存在の有無を検出する情報記録媒体検出器を備え、前記情報記録媒体検出器は、光を投光する投光部と、前記投光部から投光された光を反射する反射部と、前記反射部から反射された光を受光する受光部とを備え、前記投光部及び前記受光部は、前記装置本体に設けられ、前記蓋体は、前記装置本体に形成された前記溝に沿って連続的に延びる突設体を有しており、前記突設体の側面と前記溝の内側面との間には、前記情報記録媒体が前記情報処理部、前記導入路、及び前記貯留部を通過できるように、前記情報記録媒体が挿入可能な隙間が形成され、前記反射部は、前記突設体の内部において、当該突設体の側面近傍に設けられていることを特徴とする、情報記録媒体処理装置が提供される。
【００１２】
前記情報記録媒体検出器は、前記情報記録媒体が前記導入路に導入されたことを検出可能な位置、及び／又は、前記貯留部における前記情報記録媒体の存在の有無を検出する位置に配置しても良い。
【００１３】
また、前記情報記録媒体を前記貯留部から回収口に誘導する回収路を備え、前記情報記録媒体が前記回収路を通過したことを検出可能な位置に、前記情報記録媒体検出器を設けても良い。
【発明の効果】
【００１４】
本発明によれば、情報記録媒体処理装置内に複数の情報記録媒体を好適に貯留できる。情報記録媒体を移動部材の単純な動作によって搬送することができ、情報記録媒体の情報の処理、貯留、払い出し等の諸機能を簡単に実現することができる。貯留部の容量を確保しながらも、情報記録媒体処理装置の小型化、薄型化を実現できる。また、情報記録媒体の搬送手段の構造を簡略化することで、情報記録媒体処理装置の小型化、薄型化を実現できる。さらには、メダル貸出機等の遊技媒体貸出機の薄型化を図ることができる。
【００１５】
また、情報記録媒体検出器の投光部と受光部を装置本体に集約して取り付けることにより、蓋体を薄型化することができ、ひいては、情報記録媒体処理装置全体を薄型化することができる。
また、反射部が蓋体における突設体の内部において当該突設体の側面近傍に設けられ、かつ、突設体の側面が隙間を構成可能な連続的な面になっているので、反射部は、情報記録媒体が隙間に挿入された状態で情報処理部、導入路、及び貯留部内において移動することを妨げない。
【発明を実施するための最良の形態】
【００１６】
以下、本発明にかかる実施形態を、添付図面を用いて説明する。先ず、本実施形態において使用される情報記録媒体（金銭代用媒体）であるＩＣコインＣについて説明する。図１に示すように、ＩＣコインＣは、例えば５００円玉等の硬貨とほぼ同じ直径及び厚さを有する円板形状（コイン状）をなしており、例えば、所定の情報が記録されている非接触データキャリアである電子部品１、２枚の円板２Ａ、２Ｂ、略円環状に形成された環状部３によって構成されている。
【００１７】
電子部品１は、各ＩＣコインＣの固有のＩＤコード等の情報を記憶したメモリ５と、メモリ５を駆動する電気エネルギを外部から電磁波を媒体として受け取り、かつ、メモリ５に記録されている情報を電磁波を媒体として送信するためのアンテナ（アンテナコイル）６とを備えている。
【００１８】
メモリ５には、そのメモリ５を有するＩＣコインＣに付与された固有の情報であるＩＤコードが記録されている。このＩＤコードは、例えばメモリ５の製造段階において焼き付けられるものであり、製造段階の後に変更することは不可能なものである。なお、メモリ５は、例えばＲＯＭ（Ｒｅａｄ  Ｏｎｌｙ  Ｍｅｍｏｒｙ）等であっても良い。即ち、メモリ５の製造段階の後における情報の書き込みが不可能な読み出し専用のメモリ、また、電源が供給されない間も情報を保持し続けることが可能な不揮発性メモリであることが好ましく、例えばマスクＲＯＭ等であっても良い。
【００１９】
なお、後述する遊技システム１０で使用される複数のＩＣコインＣには、互いに異なったＩＤコードがそれぞれ割り当てられている。また、各ＩＣコインＣに付与されたＩＤコードは、例えば後述する売り上げ管理装置７３によって記憶されており、各ＩＣコインＣに関する情報（例えばＩＣコインＣに与えられた金額情報等）は、各々のＩＤコードに関連付けて記憶され、売り上げ管理装置７３によって管理されるようになっている。
【００２０】
かかる電子部品１は、円板２Ａ、２Ｂの間に挟まれた状態で内蔵されている。各円板２Ａ、２Ｂは、例えばＡＢＳ（アクリロニトリル・ブタジエン・スチレン）等の合成樹脂によって形成しても良い。
【００２１】
環状部３は、各円板２Ａ、２Ｂの外周縁部を被覆するように設けられている。この環状部３は、例えばステンレス又は真鍮等の、非磁性体である金属材料によって形成しても良い。なお、合成樹脂のみで電子部品１を封入すると、軽量であるためＩＣコインＣの転動性が不足するが、環状部３に金属を用いることにより、ＩＣコインＣに適度な質量を与え、転動性を向上させることができる。従って、後述するＩＣコイン処理装置７１内等において、円滑に移動させることができるようになる。また、環状部３を設けることによりＩＣコインＣの周縁部の強度を向上させ、破損を防止することができる。
【００２２】
なお、ＩＣコインＣの外面には、そのＩＣコインＣに関する情報等を、ＩＣコインＣの外部から目視等により識別できるように記載しても良い。例えば円板２Ａ、２Ｂの表面に、レーザーマーキング等により情報を刻印しても良い。また、そのＩＣコインＣの内部に記録されている情報に対応する情報等を記載しても良い。例えば、そのＩＣコインＣのＩＤコードと製造番号とを、所定の暗号化処理等を施した上で関連付けておき、その製造番号をＩＣコインＣの外面に記載しても良い。そうすれば、例えば内部の電子部品１が故障してＩＤコードの読み取りが不可能になった場合等であっても、管理者等は、ＩＣコインＣの外面に記載された製造番号に基づいて、所定の情報処理等の調査方法を行うことで、そのＩＣコインＣのＩＤコードや、ＩＤコードに関連付けられている情報（例えば金額価値）等を確認することができる。従って、電子部品１の故障等により例えば後述する精算等が行えなくなることを防止できる。即ち、ＩＤコードに関連付けられていた釣銭の金額が不明になって正確な金額が支払われなくなるといった不利益を遊技客に与えることを防止できる。
【００２３】
次に、ＩＣコインＣが使用される遊技ホール等の遊技システム１０の一例について説明する。図２に例示した遊技システム１０は、複数の遊技島１１、精算機１２、ホールコンピュータ１３、Ｉ／Ｆ（インターフェース）ユニット１４、売り上げ管理装置１５、通信回線１６等を備えている。
【００２４】
各遊技島１１には、複数台の遊技機としてのスロットマシン２１、複数台（スロットマシン２１と同数）の遊技媒体貸出機としてのメダル貸出機２２が備えられている。スロットマシン２１とメダル貸出機２２は、一台毎に交互に並べられ、互いに近接させられた状態で、横方向（左右方向、Ｘ方向）において一列に並べて配置されている。即ち、隣り合うスロットマシン２１の間には、メダル貸出機２２がそれぞれ一台ずつ挟まれている。図示の例では、各スロットマシン２１の正面側（遊技客側に向けられる前側）からみてスロットマシン２１の右側方に、そのスロットマシン２１に対応する（そのスロットマシン２１専用の）メダル貸出機２２がそれぞれ設置されている。
【００２５】
各スロットマシン２１の正面には、メダル用の受け皿２１ａが設けられている。また、各メダル貸出機２２の正面には、後述するメダル送出ノズル５７が設けられている。なお、各メダル送出ノズル５７は、Ｘ方向において揺動自在に取り付けられており、正面側からみて各メダル貸出機２２の左側方に位置するスロットマシン２１の受け皿２１ａに、メダル送出ノズル５７の先端部を向けることができるようになっている。
【００２６】
次に、メダル貸出機２２について説明する。図３は、メダル貸出機２２の外観を示している。図４は、メダル貸出機２２の側壁を取り除いて内部構造を示した斜視図である。図３に示すように、メダル貸出機２２は、貸出機本体３１の正面側（遊技客側に向けられる前側部）に、上部パネル３２、中部パネル３３、下部パネル３４が、上方からこの順に取り付けられた構成になっている。上部パネル３２には、ＩＣコインＣを貸出機本体３１に投入するためのコイン投入口４１、貸出機本体３１からＩＣコインＣを払いだすためのコイン払出口４２、遊技客に対してＩＣコインＣに与えられている残高等の情報を表示する情報表示部４３、メダル貸出機２２の動作状態を点灯色等によって表示する状態表示ランプ４４、遊技客がＩＣコインＣに与えられている金額価値を利用して遊技媒体であるメダルＭの貸し出しを要求する際に押圧操作する貸出要求スイッチ４５、遊技客がＩＣコインＣの返却を要求する際に押圧操作するコイン返却スイッチ４６、上部パネル３２が貸出機本体３１から外れないように施錠するための施錠機構４７等が設けられている。中部パネル３３には、紙幣Ｅを貸出機本体３１に投入するための紙幣挿入口５１が設けられている。下部パネル３４には、貸出機本体３１からメダルＭを送出させるパイプ状のメダル送出ノズル５７が設けられている。
【００２７】
貸出機本体３１は、略直方体状をなす筐体６０を備えている。筐体６０は、隣り合うスロットマシン２１の間の隙間に沿って配設できるように、高さ方向（Ｚ方向）に沿って細長く、また、Ｘ方向において薄く形成されている。筐体６０の正面側の開口は、上部パネル３２、中部パネル３３、下部パネル３４によって閉塞されている。
【００２８】
図４に示すように、筐体６０の内部空間は、３枚の仕切板６１、６２、６３によって、上下に４つの領域、即ち、収容空間Ｓ１、Ｓ２、Ｓ３、Ｓ４に仕切られている。最も上方の収容空間Ｓ１には、本実施形態にかかる情報記録媒体処理装置としてのＩＣコイン処理装置７１、ＩＣコイン処理装置７１内のＩＣコインＣを回収する情報記録媒体回収部としてのコイン回収部７２、メダル貸出機２２全体の制御を行う主制御装置７３、セキュリティブラックボックス（ＢＢ）７４が設けられている。図示の例では、正面側において左側に、ＩＣコイン処理装置７１が配置されており、ＩＣコイン処理装置７１の下方にコイン回収部７２が設けられ、ＩＣコイン処理装置７１の右側に、主制御装置７３が設けられている。そして、ＩＣコイン処理装置７１と主制御装置７３の後方に、ＢＢ７４が配置されている。上方から２段目の収容空間Ｓ２には、紙幣挿入口５１に挿入された紙幣Ｅの真偽の判別や金額の読み取り等を行う紙幣処理装置（ビルバリユニット）７５が設けられている。上方から３段目の収容空間Ｓ３には、メダルＭを貯留し、また、貯留したメダルＭをメダル送出ノズル５７に送出させるメダル送出装置７６が設けられている。最も下段の収容空間Ｓ４には、電源ユニット７７が設けられている。なお、ＩＣコイン処理装置７１の構成については、後に詳細に説明する。
【００２９】
図５は、メダル貸出機２２に内蔵されている各装置間の回路構成を示したブロック図である。図５に示すように、前述した情報表示部４３、状態表示ランプ４４、貸出要求スイッチ４５、コイン返却スイッチ４６、ＩＣコイン処理装置７１（後述するコイン処理装置制御モジュール２２６）、紙幣処理装置７５、メダル送出装置７６等は、主制御装置７３に対してそれぞれ電気的に接続されている。即ち、情報表示部４３、状態表示ランプ４４、ＩＣコイン処理装置７１、紙幣処理装置７５、メダル送出装置７６に対しては、主制御装置７３から制御信号がそれぞれ送信され、また、情報表示部４３、状態表示ランプ４４、ＩＣコイン処理装置７１、紙幣処理装置７５、メダル送出装置７６から主制御装置７３に対して、検出信号等の各種情報が送信されるようになっている。また、貸出要求スイッチ４５、コイン返却スイッチ４６から主制御装置７３に対して、電気信号が送信されるようになっている。さらに、主制御装置７３は、ＢＢ７４、ホールコンピュータ１３に対して、それぞれ電気的に接続されている。ＢＢ７４は、Ｉ／Ｆユニット１４を介して、売り上げ管理装置１５に接続されている。
【００３０】
次に、本実施形態にかかるＩＣコイン処理装置７１について詳細に説明する。図６は、ＩＣコイン処理装置７１の左側面図（表側からみた側面図）であり、図７は、ＩＣコイン処理装置７１の右側面図（裏側からみた側面図）を示している。図８は、後述する蓋体８２を開いた状態を示している。図９は、ＩＣコイン処理装置７１の左側面図において蓋体８２を省略した状態を示している。図１０は、後述する搬送手段１７０の構成を示した概略的な部分断面図である。
【００３１】
ＩＣコイン処理装置７１は、装置本体８１と、装置本体８１に対して開閉可能に設けられた蓋体８２とを備えており、例えばＸ方向における厚さが薄くなるように、即ち、Ｘ方向における寸法が、Ｙ方向における幅、Ｚ方向における高さよりも小さく形成されている。また、図９に示すように、ＩＣコイン処理装置７１には、ＩＣコインＣがＩＣコイン処理装置７１の外部から投入される投入口９１、ＩＣコインＣに記録されている情報の読み取りが行われる情報処理部としてのＩＤコード読み取り部９２、ＩＣコインＣを投入口９１からＩＤコード読み取り部９２に誘導する導入路９３、ＩＣコインＣをＩＣコイン処理装置７１の外部に払い出す払出口（返却口）９４、ＩＣコインＣをＩＤコード読み取り部９２から払出口９４に誘導する導出路９５が設けられている。さらに、複数のＩＣコインＣをＹ−Ｚ面上において一列に整列させた状態で貯留可能な略円弧状の貯留部１０１、ＩＣコインＣをＩＣコイン処理装置７１内（貯留部１０１）から下方のコイン回収部７２に排出させる回収口１０５、ＩＣコインＣを貯留部１０１から回収口１０５に誘導させる回収路１０６が設けられている。
【００３２】
装置本体８１は、例えば合成樹脂等によって形成されており、上面８１ａ、前側面８１ｂ、下面８１ｃ、後側面８１ｄを有している。前側面８１ｂには、投入口９１、払出口９４が設けられている（図８参照）。投入口９１は、前側面８１ｂおいて上側に、Ｚ方向に沿って細長く形成されたスリット状に開口されている。また、ＩＣコインＣの大きさに合わせて、即ち、ＩＣコインＣの直径及び幅よりも若干大きく開口されている。払出口９４は、前側面８１ｂにおいて投入口９１の下方に設けられており、投入口９１と同様にＺ方向に沿って細長く形成され、また、ＩＣコインＣの大きさに合わせて開口されている。なお、ＩＣコイン処理装置７１をメダル貸出機２２内に備えた状態においては、前側面８１ｂは、前述した上部パネル３２の後面に取り付けられ、投入口９１は、前述したコイン投入口４１に連通させられ、払出口９４は、前述したコイン払出口４２に連通させられるようになっている。装置本体８１の下面８１ｃには、回収口１０５を構成するための開口部１０８が設けられている。
【００３３】
装置本体８１の左側部８１ｅには、蓋体８２によって閉塞される凹部１１１が設けられている。凹部１１１は、左側部８１ｅから右側部８１ｆ側に向かって窪んだ形状になっている。装置本体８１の右側部８１ｆには、ＩＣコイン処理装置７１の動作を実現させる機器や配線類等（例えば後述するモータ１９３、ＩＤコード読み取り手段２２５、コイン処理装置制御モジュール２２６等）を取り付けるための収容空間、即ち、取り付け部１１２が設けられている。凹部１１１と取り付け部１１２とは、縦向きに設けられた仕切り板１１３によって、左右に２つの空間に仕切られている（図１０参照）。
【００３４】
図８及び図９に示すように、装置本体８１において、凹部１１１の奥側の内側面、即ち、仕切り板１１３の左側面には、縦向きにした（両面がＹ−Ｚ面に沿って略垂直になる姿勢にした）ＩＣコインＣを収容又は搬送可能な溝であるガイド溝１２０が設けられている。ガイド溝１２０は、左側部８１ｅ側から右側部８１ｆ側に向かって窪んだ形状になっており、また、Ｘ方向からみた側面視において円弧状に湾曲した部分を有している。ガイド溝１２０の幅（Ｙ−Ｚ面上においてＩＣコインＣの移動方向に対して略直交する方向における幅）はほぼ一定であり、ＩＣコインＣの直径よりも若干大きく形成されている。ガイド溝１２０のＸ方向における深さもほぼ一定であり、ＩＣコインＣの厚さよりも大きく形成されている。
【００３５】
このガイド溝１２０の開口側、即ち、左側部８１ｅ側に向けられた側部開口１２０ａ側は、蓋体８２によって閉塞され（図１１及び図１２参照）、ガイド溝１２０と蓋体８２の内面との間には、縦向きにした複数のＩＣコインＣを収容又は搬送可能なコイン誘導・貯留空間１３０が形成されるようになっている。即ち、コイン誘導・貯留空間１３０は、蓋体８２を開閉することにより、側方から開閉できるようになっている。なお、蓋体８２を閉じた状態では、開口部１０８と蓋体８２との間には、Ｙ方向に沿って細長いスリット状の回収口１０５が形成され、コイン誘導・貯留空間１３０の下端部が回収口１０５に連通するようになっている。回収口１０５は、ＩＣコインＣの大きさに合わせて、即ち、ＩＣコインＣの直径及び幅よりも若干大きく開口されるようになっている。
【００３６】
図９に示すように、コイン誘導・貯留空間１３０の上端部は投入口９１に連通し、下端部は回収口１０５に連通している。そして、このコイン誘導・貯留空間１３０のうち、円弧状に湾曲した部分は貯留部１０１となっており、貯留部１０１の上方はＩＤコード読み取り部９２となっており、ＩＤコード読み取り部９２と投入口９１との間は導入路９３となっており、貯留部１０１の下端部と回収口１０５との間は回収路１０６となっている。即ち、ＩＤコード読み取り部９２、導入路９３、貯留部１０１、回収路１０６は、上方から（投入口９１側から）この順に並べて設けられ、ＩＣコインＣを互いに同一の平面（Ｙ−Ｚ面）上において収容又は移動させるようになっている。なお、図示の例では、導出路９５はコイン誘導・貯留空間１３０ではなく、凹部１１１の内側面中に設けられており、開閉できない構成になっているが、勿論、導出路９５も蓋体８２によって開閉できる構成にしても良い。
【００３７】
導入路９３は、投入口９１側からＩＤコード読み取り部９２側に向かうに従い次第に下降するように傾斜している。即ち、投入口９１を通じて縦向きにした状態で投入されたＩＣコインＣを、縦向きのまま、Ｙ−Ｚ面に沿って斜め下方に落下するように誘導させ、ＩＤコード読み取り部９２まで移動させることができるようになっている。
【００３８】
ＩＤコード読み取り部９２は、縦向きにした１枚のＩＣコインＣを収容することができる。なお、例えば後述するストッパー１６５等によってＩＣコインＣを停止させることにより、ＩＣコインＣをＩＤコード読み取り部９２内に保持できるようになっている。
【００３９】
貯留部１０１は、例えば後述する搬送手段１７０の移動体２０３の移動経路（軌跡）に沿うように、一定の曲率半径を有する略円弧状に形成されている。また、下端部から上方に向かうに従い後側面８１ｄ側に向かうように湾曲し、さらに上方においては、上方に向かうに従い前側面８１ｂ側に向かうように湾曲している。かかる貯留部１０１には、複数枚のＩＣコインＣを同一の平面上（Ｙ−Ｚ面上）に沿って縦向きにした状態で、また、上下に隣り合うＩＣコインＣの周縁部同士を互いに接触させた状態で、貯留部１０１の周方向に沿って一列に、即ち、円弧形の列状に並べて収容できるようになっている。図示の例では、貯留部１０１には、最大で５枚までのＩＣコインＣを一列に並べて貯留できるようになっている。
【００４０】
回収路１０６は、貯留部１０１と回収口１０５との間に形成され、貯留部１０１の下端部に位置するＩＣコインＣを、Ｚ方向に沿って真下に向かって落下させるように構成されている。
【００４１】
導出路９５は、ＩＤコード読み取り部９２の下縁部と払出口９４との間に設けられており、後側面８１ｄ側から前側面８１ｂ側に向かうに従い次第に下方に向かうように傾斜している。また、ＩＣコインＣをＹ−Ｚ面に沿って縦向きにした姿勢で誘導することが可能な、スリット状の開口断面形状を有している。
【００４２】
また、凹部１１１内には、ガイド溝１２０に収容されたＩＣコインＣの周縁部を保持するための保持体１３２が設けられている。保持体１３２は、ガイド溝１２０の側部開口１２０ａ側に設けられており、図示の例では、側部開口１２０ａの一縁部（導入路９３の下縁部、ＩＤコード読み取り部９２の下縁部、及び、貯留部１０１の内周側の縁部）に沿って、また、縁部全体に亘って連続的に形成されている。また、側部開口１２０ａの一縁部から反対側の他縁部（導入路９３とＩＤコード読み取り部９２においては上縁部、貯留部１０１においては外周側の縁部）に向かって、ガイド溝１２０の幅方向に延びるように、鍔状（フランジ状）に設けられており、さらに、ガイド溝１２０の幅方向において所定の幅を有する帯状に形成されている。従って、左側部８１ｅ側からみた側面視においては、導入路９３の下縁部、ＩＤコード読み取り部９２の下縁部、及び、貯留部１０１の内周側の縁部が、保持体１３２によって覆われた状態になっている。
【００４３】
図１１及び図１２に示すように、保持体１３２とガイド溝１２０の内側面（奥側の内面）１２０ｂとの間には、所定の幅の隙間Ｔ１が形成されており、この隙間Ｔ１のＸ方向における幅は、ＩＣコインＣの厚さよりも若干大きく形成されている。即ち、ＩＣコインＣは、導入路９３、ＩＤコード読み取り部９２、貯留部１０１において、両面がガイド溝１２０の内側面１２０ｂと蓋体８２の内面（後述する突設体１５０の側面１５０ａ）とにそれぞれ対向させられた状態で、かつ、周縁部の一部が隙間Ｔ１に挿入された状態で、収容又は移動させられるようになっている。このような保持体１３２を設けると、ＩＣコインＣの周縁部を、隙間Ｔ１によって円滑に誘導することができる。また、蓋体８２を開いた場合であっても、ＩＣコインＣを保持体１３２によって保持できるので、ＩＣコインＣがガイド溝１２０から外れることを防止できる。
【００４４】
即ち、図１３及び図１４に示すように、蓋体８２が開かれた場合においては、ガイド溝１２０の側部開口１２０ａが開口され（後述する突設体１５０がガイド溝１２０から離隔させられ）、例えば貯留部１０１に貯留されているＩＣコインＣの左側面、あるいは、ＩＤコード読み取り部９２に保持されているＩＣコインＣの左側面が外部に露出させられるが、このとき、ＩＣコイン処理装置７１を縦向きにしたままで蓋体８２を開くと、ＩＣコインＣがガイド溝１２０から落下しやすい問題がある。つまり、ＩＣコインＣはガイド溝１２０において縦向きに収容されているので、左側面側の保持が解除されると不安定な状態になり、左側に倒れやすくなる。これに対し、本実施形態においては、蓋体８２を開いても、保持体１３２によってＩＣコインＣの周縁部の一部が保持されたままになる。例えばＩＤコード読み取り部９２や貯留部１０１の上部側においては、ＩＣコインＣの下縁部又は前縁部が保持され（図１３参照）、貯留部１０１の下部側においてはＩＣコインの上縁部が保持される（図１４参照）。従って、ＩＣコインＣが大きく倒れることを防止できる。即ち、ＩＣコインＣの落下を防止できる。
【００４５】
次に、蓋体８２の構成について詳述する。図８及び図９に示すように、蓋体８２は、凹部１１１を左側部８１ｅ側から閉塞するように設けられている。蓋体８２の後側の縁部は、ヒンジ部１３５を介して、左側部８１ｅの後縁部に取り付けられている。即ち、ヒンジ部１３５を中心として回転させることにより、凹部１１１を開閉できるように構成されている。また、蓋体８２の前側の縁部には、左側部８１ｅの前縁部に設けられた係合部１４１に対して係合可能な係合部１４２が設けられている。即ち、係合部１４１に係合部１４２が係合されることにより、蓋体８２が凹部１１１に嵌め込まれた状態、即ち、凹部１１１を閉塞する閉塞位置（図６参照）に配置された状態で保持されるようになっている。
【００４６】
図８に示すように、蓋体８２の内側面（凹部１１１内に向かう面）８２ｂには、ガイド溝１２０の側部開口１２０ａに沿って配置される突設体１５０が設けられている。この突設体１５０は、内側面８２ｂから側方に隆起しており、蓋体８２を閉塞位置に配置させたときに、側部開口１２０ａの縁部（図示の例では、導入路９３の上縁部、ＩＤコード読み取り部９２の上縁部、及び、貯留部１０１の外周側の縁部）に沿って備えられるように、連続的に形成されている。また、図１１及び図１２に示すように、突設体１５０の側面１５０ａは、蓋体８２を閉塞位置に配置させたときに、ガイド溝１２０の内側面１２０ｂと略平行に（即ちＹ−Ｚ面に沿って）備えられ、側面１５０ａと内側面１２０ｂとの間には、所定の幅の隙間Ｔ２が形成されるように構成されている。この隙間Ｔ２のＸ方向における幅は、ＩＣコインＣの厚さよりも若干大きく形成されている。即ち、ＩＣコインＣは、周縁部が隙間Ｔ２に挿入された状態で、導入路９３、ＩＤコード読み取り部９２、貯留部１０１内において収容又は移動させられるようになっている。
【００４７】
また、ガイド溝１２０の幅方向における突設体１５０の幅は、ガイド溝１２０の幅よりも小さく形成されており、保持体１３２と干渉しないようになっている。即ち、突設体１５０の縁部と保持体１３２の縁部との間に沿って隙間Ｔ３が設けられ、この隙間Ｔ３は、後述するように、搬送手段１７０の移動体２０３が通過する移動部材用通路として機能するようになっている。また、突設体１５０よりも内側（貯留部１０１よりも内周側）においては、蓋体８２の内側面８２ｂと仕切り板１１３の左側面とは互いに離隔させられた状態になるが、この内側面８２ｂと仕切り板１１３との間の隙間Ｔ４は、後述するように、搬送手段１７０のアーム２０２が通過するアーム移動用空間として機能するようになっている。
【００４８】
なお、蓋体８２は、例えば合成樹脂等によって形成しても良く、また、透光性を有する材質によって形成しても良い。そうすれば、蓋体８２を閉塞位置に配置させたままでも、凹部１１１内の状態（例えば、コイン誘導・貯留空間１３０におけるＩＣコインＣの位置、ＩＣコインＣの貯留数等）を、蓋体８２を通して外側から目視によって確認することができる。従って、例えばＩＣコイン処理装置７１の点検等の際に、蓋体８２を開閉する手間を省略することができ、点検を円滑に行いやすくなる。
【００４９】
また、例えば図１１及び図１２に示すように、前述したガイド溝１２０の内側面１２０ｂには、内側面１２０ｂの一部から僅かに突出する突出部１２０ｃを設けても良い。保持体１３２の内側面には、内側面の一部から僅かに突出する突出部１３２ａを設けても良い。さらに、突設体１５０の側面１５０ａには、側面１５０ａの一部から僅かに突出する突出部１５０ｂを設けても良い。また、突出部１２０ｃ、１３２ａ、１５０ｂは、ガイド溝１２０におけるＩＣコインＣの移動経路に沿って延設しても良い。このように突出部１２０ｃ、１３２ａ、１５０ｂを設け、ＩＣコインＣの側面に対して突出部１２０ｃ、１３２ａ、１５０ｂを接触させるようにすると、突出部１２０ｃ、１３２ａ、１５０ｂを設けない場合よりも、ＩＣコインＣとガイド溝１２０、保持体１３２、突設体１５０との接触面積を少なくすることができ、摩擦抵抗を減少させ、ＩＣコインＣをより円滑に移動させることができる。
【００５０】
さらに、ＩＣコイン処理装置７１は、図９に例示するように、ＩＣコインＣの移動経路（移動範囲）を遮る位置と遮らない位置とに移動してＩＣコインＣの動きを規制するための各種の規制部材を備えている。即ち、図示の例では、投入口９１を開閉してＩＣコインＣの投入を規制する規制部材としての投入口シャッター１６１、導出路９５を開閉してＩＣコインＣの導出を規制する規制部材としての導出路シャッター１６２、回収路１０６を開閉してＩＣコインＣの回収を規制する規制部材としての回収路シャッター１６３、ＩＤコード読み取り部９２と貯留部１０１との間におけるＩＣコインＣの移動を規制する規制部材としての上部ストッパ１６５、貯留部１０１と回収路１０６との間におけるＩＣコインＣの移動を規制する規制部材としての下部ストッパ１６６を備えている。また、貯留部１０１に収容されたＩＣコインＣを搬送する搬送手段１７０を備えている。
【００５１】
投入口シャッター１６１は、例えば投入口９１に沿って縦向きに配設された薄板状をなし、仕切り板１１３側から投入口９１内に突出して投入口９１を閉塞可能、及び、仕切り板１１３側に没入して投入口９１から退避可能に構成されている。導出路シャッター１６２は、例えばＩＤコード読み取り部９２の下縁部に沿って傾斜させて配設された薄板状に形成されており、仕切り板１１３から導出路９５の上端部（入口）内に突出して導出路９５を閉塞可能、及び、仕切り板１１３に没入して導出路９５の上端部から退避可能に構成されている。回収路シャッター１６３は、例えば貯留部１０１の下端部と回収路１０６の上端部との間に沿って横向きに配設された薄板状に形成されており、仕切り板１１３から回収路１０６の上端部（入口）内に突出して回収路１０６を閉塞可能、及び、仕切り板１１３に没入して回収路１０６の上端部から退避可能に構成されている。
【００５２】
上部ストッパ１６５は、例えばピン状に形成されており、ＩＤコード読み取り部９２と貯留部１０１の上端部との間に設けられ、かかる位置において、内側面１２０ｂからガイド溝１２０内に突出可能、及び、内側面１２０ｂに没入してガイド溝１２０内から退避可能に構成されている。下部ストッパ１６６は、例えばピン状に形成されており、貯留部１０１の下部において、回収路１０６の真上よりも後方に設けられており、かかる位置において、内側面１２０ｂからガイド溝１２０内に突出可能、及び、内側面１２０ｂに没入してガイド溝１２０内から退避可能に構成されている。なお、下部ストッパ１６６の前方（回収路シャッター１６３の上方）には、１枚のＩＣコインＣを収容できるように、即ち、周縁部を回収路シャッター１６３の上面に載せた状態で保持できるようになっている。
【００５３】
また、図７に例示するように、取り付け部１１２には、上記各種の規制部材をＩＣコインＣの移動経路に対して移動させるための規制部材移動機構が設けられている。即ち、図示の例では、投入口シャッター１６１の開閉動作を行う規制部材移動機構としての投入口シャッター移動機構１７１、導出路シャッター１６２の開閉動作を行う規制部材移動機構としての導出路シャッター移動機構１７２、回収路シャッター１６３の開閉動作を行う規制部材移動機構としての回収路シャッター移動機構１７３、上部ストッパ１６５の突出・退避動作を行う規制部材移動機構としての上部ストッパ移動機構１７５、下部ストッパ１６６の突出・退避動作を行う規制部材移動機構としての下部ストッパ移動機構１７６が設けられている。
【００５４】
図１５に示すように、投入口シャッター移動機構１７１は、例えば投入口シャッター１６１を投入口９１に突出させるように付勢する付勢部材としてのコイルばね１８１と、コイルばね１８１の付勢力に抗して投入口シャッター１６１を投入口９１から退避させる駆動力を発生させる駆動源（アクチュエータ）としてのソレノイド１８２と、コイルばね１８１の付勢力やソレノイド１７１ａの駆動力を投入口シャッター１６１に伝達させる伝達部としてのアーム（てこ）１８３と、仕切り板１１３に対して固定されアーム１８３を揺動可能に支持する支持部材１８４とを備えている。アーム１８３は、両端部の間において支持部材１８４によって支持されており、Ｙ−Ｚ面に沿って配設された軸１８３ａを中心（支点）として揺動することができる。アーム１８３の先端部には投入口シャッター１６１が取り付けられ、基端部には、ソレノイド１８２が取り付けられている。また、アーム１８３の基端部とソレノイド１８２との間には、コイルばね１８１が備えられている。かかる構成において、ソレノイド１８２が駆動されていない状態では、アーム１８３の基端部は、コイルばね１８１の弾性力によって、仕切り板１１３側（左側）から右側に向かって離隔する方向に付勢されている。即ち、アーム１８３の先端部は仕切り板１１３に近接し、投入口シャッター１６１は投入口９１に突出している。そして、電気エネルギが与えられることでソレノイド１８２が駆動され、アーム１８３の基端部が仕切り板１１３側に引っ張られると、アーム１８３の先端部が仕切り板１１３から離隔し、投入口シャッター１６１は投入口９１から退避するようになっている。
【００５５】
なお、導出路シャッター移動機構１７２、回収路シャッター移動機構１７３、上部ストッパ移動機構１７５、下部ストッパ移動機構１７６も、上述した投入口シャッター移動機構１７１と実質的に同一の構成を有しており、これらについての詳細な説明は、投入口シャッター移動機構１７１に関するものと重複するため、省略することとする。また、図面においては、実質的に同一の構成についてそれぞれ同一の符号を付すこととする。
【００５６】
図９及び図１０に示すように、搬送手段１７０は、Ｘ方向を中心として装置本体８１に対して回転可能な回動部材１９１、回動部材１９１を回転させるための（後述する移動体２０３を移動させるための）駆動力を発生させる駆動源であるモータ（電動機）１９３、モータ１９３の駆動力を回動部材１９１に伝達させる歯車列１９４を備えている。
【００５７】
回動部材１９１は、貯留部１０１の内周側に備えられた回動部材本体２０１と、回動部材本体２０１から貯留部１０１に向かって延設されたアーム２０２と、アーム２０２の先端部に設けられており貯留部１０１内で移動可能な移動体（情報記録媒体当接部）２０３とを備えている。
【００５８】
回動部材本体２０１は、回転中心軸となる中心軸２０１ａをＸ方向に向けた状態で備えられている。中心軸２０１ａの両端部は、装置本体８１に対して回転可能な状態で支持されている。また、回動部材本体２０１の取り付け部１１２側の外周面には、後述する複合歯車部材２１８の第二の歯車２１８ｂとかみ合う歯車２０５が形成されている。歯車２０５は、例えば平歯車である。なお、仕切り板１１３には、歯車２０５の一部を取り付け部１１２側に露出させるための開口２０６が形成されており、複合歯車部材２１８は、この開口２０６によって露出させられた部分に対してかみ合うように配置されている。
【００５９】
アーム２０２と移動体２０３は、凹部１１１の内側に備えられている。アーム２０２は、基端部側が回動部材本体２０１に接続されている。移動体２０３は、アーム２０２の先端部に設けられており、アーム２０２と一体的に、Ｙ−Ｚ面において、円弧状の移動経路に沿って、上下に往復移動させられるようになっている。なお、蓋体８２を閉塞位置に配置させた状態において、移動体２０３、アーム２０２は、それぞれ前述した隙間Ｔ３、Ｔ４に沿って移動できるようになっている。
【００６０】
また、アーム２０２は、例えば図１６に示すように、６つの回動角において段階的に静止することができ、このアーム２０２の回動角の変化に伴って、移動体２０３は、６つの位置に段階的に静止できるようになっている。即ち、移動体２０３は、下部ストッパ１６６よりも前方の待機位置ＰＭ０、上部ストッパ１６５との間に４枚のＩＣコインＣを積み重ねて保持可能な第一の保持位置ＰＭ１、上部ストッパ１６５との間に３枚のＩＣコインＣを積み重ねて保持可能な第二の保持位置ＰＭ２、上部ストッパ１６５との間に２枚のＩＣコインＣを積み重ねて保持可能な第三の保持位置ＰＭ３、上部ストッパ１６５との間に１枚のＩＣコインＣを保持可能な第四の保持位置ＰＭ４、ＩＤコード読み取り部９２に配置されたＩＣコインＣの後部を保持可能な第五の保持位置ＰＭ５に移動することができる。
【００６１】
なお、移動体２０３を待機位置ＰＭ０に配置させて貯留部１０１に５枚のＩＣコインＣを貯留した状態、移動体２０３を第一の保持位置ＰＭ１に配置させて移動体２０３の上方に４枚のＩＣコインＣを貯留した状態（又は、下部ストッパ１６６を突出させて下部ストッパ１６６の上方に４枚のＩＣコインＣを貯留した状態）、移動体２０３を第二の保持位置ＰＭ２に配置させて移動体２０３の上方に３枚のＩＣコインＣを貯留した状態、移動体２０３を第三の保持位置ＰＭ３に配置させて移動体２０３の上方に２枚のＩＣコインＣを貯留した状態、移動体２０３を第４の保持位置ＰＭ４に配置させて移動体２０３の上方に１枚のＩＣコインＣを貯留した状態においては、最も上方に貯留されたＩＣコインＣは、貯留部１０１の上端部（即ち、上部ストッパ１６５やＩＤコード読み取り部９２に隣接し、かつ、後述する貯留部用検出器２２３の検出範囲に進入した状態になる位置）に配置されるようになっている。
【００６２】
また、例えば凹部１１１側において、回動部材本体２０１の外周縁部には、複数の切り欠き溝（センサ用スリット）２１０が設けられている。切り欠き溝２１０は、中心軸２０１ａの周りにおいて間隔を空けて並べて設けられている。一方、凹部１１１内には、これらの切り欠き溝２１０の存在を検出する切り欠き溝検出器２１１が設けられている。切り欠き溝検出器２１１は、例えば光センサを利用した構成になっている。この切り欠き溝検出器２１１によって切り欠き溝２１０を検出することにより、回動部材１９１の回転角、ひいては移動体２０３の位置を検出できるようになっている。即ち、切り欠き溝２１０と切り欠き溝検出器２１１によって、回動部材１９１の回転角を検出する回転角検出手段２１２が構成されている。なお、周方向において隣り合う切り欠き溝２１０同士の間に形成される間隔は、例えば、上述した移動体２０３が配置される６つの位置（待機位置ＰＭ０、保持位置ＰＭ１〜ＰＭ５）の間の間隔にそれぞれ対応する大きさにしても良い。即ち、例えば切り欠き溝２１０を６つ設け、移動体２０３が待機位置ＰＭ０、保持位置ＰＭ１〜ＰＭ５のいずれかに配置されると、切り欠き溝２１０のいずれか１つが、切り欠き溝検出器２１１の検出範囲に配置されるようにしても良い。
【００６３】
モータ１９３は、例えばステッピングモータであり、取り付け部１１２に取り付けられている。また、モータ１９３の本体１９３ａは、例えば略円柱状の外形を有しており、モータ１９３の回転軸１９３ｂがＺ方向に沿ってモータ本体１９３ａの下方に突出するように、縦向きに取り付けられている。
【００６４】
なお、モータ１９３の回転軸１９３ｂを回動部材１９１の右端部に対して直結させずに、歯車列１９４（後述する７個の歯車２１５、２１６ａ、２１６ｂ、２１７ａ、２１７ｂ、２１８ａ、２１８ｂ）を介してモータ１９３の動力を回動部材１９１（移動体２０３側）に伝達させる構成とすることにより、モータ１９３の配置の自由度を向上させることができる。即ち、例えばモータ１９３の回転軸１９３ｂを回動部材１９１の右端部に対して直結させた構成にすると、回動部材１９１の右側に、モータ１９３を横向きに配置するスペースが必要になるため、装置本体８１のＸ方向における薄型化には限界がある。これに対し、歯車列１９４を介してモータ１９３の動力を伝達させる構成とすることにより、モータ１９３を回動部材１９１等、他の機器等と重ならないような、任意の適切な位置に取り付けることができるようになる。これにより、装置本体８１のＸ方向における薄型化を図ることができる。特に、歯車列１９４においては、後述するようにウォームギヤ（ウォームとウォームホイールの組み合わせ）等を含む構成とすることにより、回転軸１９３ｂの向きを回動部材本体２０１の回転中心軸２０１ａとは異なる方向に向けた状態でも、動力を伝達させることができるようになる。即ち、モータ１９３の向き（姿勢）の自由度を向上させることができる。例えば中心軸２０１ａ（Ｘ方向）に対して回転軸１９３ｂを略垂直（Ｚ方向）に配置することができる。
【００６５】
図示の例では、モータ１９３は、Ｘ方向からみた側面視において（即ち、貯留部１０１においてＩＣコインＣが並べられるＹ−Ｚ面に対して略垂直な方向から装置本体８１をみたとき）、例えば投入口シャッター移動機構１７１、導出路シャッター移動機構１７２、回収路シャッター移動機構１７３、上部ストッパ移動機構１７５、下部ストッパ移動機構１７６等の規制部材駆動機構、後述する導入検出器２２１、導出検出器２２２、貯留部用検出器２２３、回収路検出器２２４等の情報記録媒体検出器、後述するＩＤコード読み取り手段２２５、後述するコイン処理装置制御モジュール２２６等の機器に対しても重ならないような位置に設けられている。即ち、モータ１９３の左右に他の機器が存在しないように配置されている。そうすれば、他の機器が設けられていないスペースを有効に利用して、モータ１９３を装置本体８１に対してさらにコンパクトに取り付けることができる。特に、投入口シャッター移動機構１７１、導出路シャッター移動機構１７２、回収路シャッター移動機構１７３、上部ストッパ移動機構１７５、下部ストッパ移動機構１７６は、アーム１８３の両端部がＸ方向に移動させられる構造になっているので、アーム１８３が移動するためのスペースを右側に確保しておく必要があるが、モータ１９３をアーム１８３に対してＸ方向からみて重ならない位置に配置することで、モータ１９３をアーム１８３に干渉させることなく、取り付け部１１２内の深い場所に設けることが可能になる。
【００６６】
また、モータ１９３は、Ｘ方向からみた側面視において、コイン誘導・貯留空間１３０（ＩＤコード読み取り部９２、導入路９３、導出路９５、貯留部１０１、回収路１０６）とも重ならない位置、さらには、導出路９５とも重ならない位置に設けられている（図９参照）。図９に示す例では、モータ１９３は、貯留部１０１の上端部よりも後方かつ上方、即ち、側面視において上面８１ａ、後側面８１ｄ、コイン誘導・貯留空間１３０の上縁部によって囲まれた角部に設けられている。さらに、図１０に示す例では、モータ本体１９３ａの一部（左側）は、仕切り板１１３に埋没させられている。このようにすると、コイン誘導・貯留空間１３０、導出路９５等が設けられていないスペース、即ち、コインＣが通過しない部分を有効に利用して、モータ１９３を装置本体８１に対してさらにコンパクトに取り付けることができる。即ち、モータ１９３を仕切り板１１３中に深く埋没させても、凹部１１１側においてモータ１９３がコイン誘導・貯留空間１３０、導出路９５等の内面に突出しないように配設できる。従って、例えばモータ本体１９３ａの外径が太い場合であっても、モータ１９３が右側部８１ｆからはみ出ないように取り付けることが可能になる。
【００６７】
次に、歯車列１９４について説明する。図７及び図１０に示すように、歯車列１９４は、モータ１９３の回転軸１９３ｂに直結された歯車２１５と、２つの歯車２１６ａ、２１６ｂを有する複合歯車部材２１６と、２つの歯車２１７ａ、２１７ｂを有する複合歯車部材２１７と、２つの歯車２１８ａ、２１８ｂを有する複合歯車部材２１８とを備えている。即ち、合計で７個の歯車２１５、２１６ａ、２１６ｂ、２１７ａ、２１７ｂ、２１８ａ、２１８ｂを備えている。
【００６８】
歯車２１５は、外周面に歯形が形成されたウォーム（例えば円筒ウォーム）であり、図示の例では、左ねじ方向に沿った歯形が形成されている。また、モータ１９３の回転軸１９３ｂと一体的に、Ｚ方向に向けられた中心軸を回転中心として回転するようになっている。
【００６９】
複合歯車部材２１６は、歯車２１５とかみ合う第一の歯車２１６ａ、及び、複合歯車部材２１７の歯車２１７ａとかみ合う第二の歯車２１６ｂを備えている。第一の歯車２１６ａは、例えばウォームホイールであり、この歯車２１６ａと上記の歯車２１５とによって、ウォームギヤが構成されている。また、第一の歯車２１６ａは、外周縁部に歯形が形成された略円板状をなし、径方向がＹ−Ｚ面に沿うように、縦向きにして設けられている。第二の歯車２１６ｂは、例えば平歯車であって、外周縁部に歯形が形成された略円板状をなし、径方向がＹ−Ｚ面に沿うように、縦向きにして設けられている。また、第二の歯車２１６ｂは、第一の歯車２１６ａよりも小さな外径を有し、例えば第一の歯車２１６ａの右側面における中心部に設けられている。さらに、第一の歯車２１６ａに対して一体的に形成されている。また、複合歯車部材２１６は、支持軸２１６ｃによって回転可能な状態で支持されている。支持軸２１６ｃは、第一の歯車２１６ａの中心部及び第二の歯車２１６ｂの中心部を貫通して、Ｘ方向に沿って設けられている。支持軸２１６ｃの左端部は、仕切り板１１３の右側面によって支持されており、右端部は、後述するカバー２１９の内側面によって支持されている。即ち、第一の歯車２１６ａと第二の歯車２１６ｂは、支持軸２１６ｃを中心として、互いに一体的に、装置本体８１に対して回転するようになっている。
【００７０】
複合歯車部材２１７は、複合歯車部材２１６の第二の歯車２１６ｂとかみ合う第一の歯車２１７ａ、及び、複合歯車部材２１８の第一の歯車２１８ａとかみ合う第二の歯車２１７ｂを備えている。第一の歯車２１７ａは、例えば平歯車であって、外周縁部に歯形が形成された略円板状をなし、径方向がＹ−Ｚ面に沿うように、縦向きにして設けられている。第二の歯車２１７ｂも、例えば平歯車であって、外周縁部に歯形が形成された略円板状をなし、径方向がＹ−Ｚ面に沿うように、縦向きにして設けられている。また、第二の歯車２１７ｂは、第一の歯車２１７ａよりも小さな外径を有し、例えば第一の歯車２１７ａの左側面（仕切り板１１３側）における中心部に設けられている。さらに、第一の歯車２１７ａに対して一体的に形成されている。また、複合歯車部材２１７は、支持軸２１７ｃによって回転可能な状態で支持されている。支持軸２１７ｃは、第一の歯車２１７ａの中心部及び第二の歯車２１７ｂの中心部を貫通して、Ｘ方向に沿って設けられている。支持軸２１７ｃの左端部は、仕切り板１１３の右側面によって支持されており、右端部は、後述するカバー２１９の内側面によって支持されている。即ち、第一の歯車２１７ａと第二の歯車２１７ｂは、支持軸２１７ｃを中心として、互いに一体的に、装置本体８１に対して回転するようになっている。
【００７１】
複合歯車部材２１８は、複合歯車部材２１７の第二の歯車２１７ｂとかみ合う第一の歯車２１８ａ、及び、前述した回動部材１９１の歯車２０５とかみ合う第二の歯車２１８ｂを備えている。第一の歯車２１８ａは、外周縁部に歯形が形成された略円板状をなし、径方向がＹ−Ｚ面に沿うように、縦向きにして設けられている。第二の歯車２１８ｂも、例えば平歯車であって、外周縁部に歯形が形成された略円板状をなし、径方向がＹ−Ｚ面に沿うように、縦向きにして設けられている。また、第二の歯車２１８ｂは、第一の歯車２１８ａよりも小さな外径を有し、例えば第一の歯車２１８ａの左側面（仕切り板１１３側）における中心部に設けられている。さらに、第一の歯車２１８ａに対して一体的に形成されている。また、複合歯車部材２１８は、支持軸２１８ｃによって回転可能な状態で支持されている。支持軸２１８ｃは、第一の歯車２１８ａの中心部及び第二の歯車２１８ｂの中心部を貫通して、Ｘ方向に沿って設けられている。支持軸２１８ｃの左端部は、仕切り板１１３の右側面によって支持されており、右端部は、後述するカバー２１９の内側面によって支持されている。即ち、第一の歯車２１８ａと第二の歯車２１８ｂは、支持軸２１８ｃを中心として、互いに一体的に、装置本体８１に対して回転するようになっている。
【００７２】
なお、図示の例では、支持軸２１６ｃ、２１７ｃ、２１８ｃ、中心軸２０１ａは、歯車２１５側から前方に向かってこの順に設けられており、また、前方のものほど低い高さに設けられている。即ち、歯車２１６ｂよりも歯車２１７ａ、歯車２１７ｂよりも歯車２１８ａ、歯車２１８ｂよりも歯車２０５の方が、前方かつ下方に位置するように配置されている。
【００７３】
また、上述したように、各歯車２１６ａ、２１６ｂ、２１７ａ、２１７ｂ、２１８ａ、２１８ｂは、Ｙ−Ｚ面に沿って配置されているが、これにより、歯車列１９４を取り付け部１１２内にコンパクトに収納することができる。即ち、歯車列１９４全体のＸ方向における幅を小さくすることで、ＩＣコイン処理装置７１のＸ方向における薄型化を図ることができる。また、図示の例では、歯車列１９４は、Ｘ方向からみた側面視において、上述した投入口シャッター移動機構１７１、導出路シャッター移動機構１７２、回収路シャッター移動機構１７３、上部ストッパ移動機構１７５、下部ストッパ移動機構１７６と重ならない位置に配置されている。即ち、アーム１８３の移動範囲に対してＸ方向からみて重ならない位置に配置することで、歯車列１９４をアーム１８３に干渉させることなく、取り付け部１１２内の深い場所（仕切り板１１３に近接した場所）に設けることが可能になる。
【００７４】
上記のように、歯車２１５と歯車２１６ａ、歯車２１６ｂと歯車２１７ａ、歯車２１７ｂと歯車２１８ａ、及び、歯車２１８ｂと歯車２０５は、それぞれかみ合った状態で取り付けられている。即ち、モータ１９３を駆動させると、歯車２１５が回転させられ、この歯車２１５の回転に連動して、歯車２１６ａ、２１６ｂ、２１７ａ、２１７ｂ、２１８ａ、２１８ｂ、２０５がそれぞれ回転させられ、これにより、アーム２０２及び移動体２０３が、歯車２０５と一体的に、中心軸２０１ａを回転中心として回転させられるようになっている。図示の例では、歯車２１５を上方からみて右方向（時計方向）に回転させると、右側部８１ｆ側からみた状態において、歯車２１６ａ及び歯車２１６ｂが右回転し、歯車２１７ａ及び歯車２１７ｂが左回転し、歯車２１８ａ及び歯車２１８ｂが右回転し、歯車２０５が左回転するようになっている。これにより、移動体２０３が、貯留部１０１に沿って上昇させられるようになっている。逆に、歯車２１５を上方からみて左方向（反時計方向）に回転させると、右側部８１ｆ側からみた状態において、歯車２１６ａ及び歯車２１６ｂが左回転し、歯車２１７ａ及び歯車２１７ｂが右回転し、歯車２１８ａ及び歯車２１８ｂが左回転し、歯車２０５が右回転するようになっている。これにより、移動体２０３が、貯留部１０１に沿って下降させられるようになっている。
【００７５】
また、歯車列１９４は、取り付け部１１２内に収納されており、さらに、カバー２１９によって保護されている。カバー２１９は、歯車２１５の外側と、各複合歯車部材２１６、２１７、２１８の外側（右側面）を覆うように、また、各複合歯車部材２１６、２１７、２１８の外周囲を取り囲むようにして設けられている。また、カバー２１９は、仕切り板１１３に固定された状態で、取り付け部１１２内に配置されている。即ち、前述した各支持軸２１６ｃ、２１７ｃ、２１８ｃの右端部は、カバー２１９を介して、仕切り板１１３に対して保持されている。なお、カバー２１９は、例えば透光性を有する材質によって形成しても良い。そうすれば、カバー２１９を取り付けたままの状態でも、カバー２１９内の歯車列１９４の状態を、カバー２１９を通して目視によって確認することができ、点検を行いやすくなる。また、カバー２１９は、仕切り板１１３に対して着脱自在とし、カバー２１９を仕切り板１１３から取り外すことにより、各複合歯車部材２１６、２１７、２１８が着脱可能になる構成としても良い。そうすれば、歯車列１９４のメンテナンスを行い易くなる。
【００７６】
さらに、ＩＣコイン処理装置７１は、ＩＣコインＣの移動経路におけるＩＣコインＣの存在の有無を検出する複数の情報記録媒体検出器、即ち、ＩＣコインＣが導入路９３に導入されたことを検出する情報記録媒体検出器としての導入検出器２２１、ＩＣコインＣが導出路９５から導出されたことを検出する情報記録媒体検出器としての導出検出器２２２、貯留部１０１の上端部にＩＣコインＣが存在するか否かを検出する情報記録媒体検出器としての貯留部用検出器２２３、ＩＣコインＣが回収路１０６を通過したこと（回収されたこと）を検出する情報記録媒体検出器としての回収検出器２２４を備えている。また、ＩＤコード読み取り部９２に収容されたＩＣコインＣから情報としてＩＤコードを読み取る情報読み取り手段としてのＩＤコード読み取り手段２２５、ＩＣコイン処理装置７１の各部の制御を行うコイン処理装置制御モジュール２２６を備えている。
【００７７】
導入検出器２２１は、検出範囲（検出領域）が導入路９３の入口に位置するように、即ち、導入路９３の入口におけるＩＣコインＣの存在の有無を検出できるように配置されている。また、図１７に示すように、光（例えば赤外光）を投光する投光部２３１、投光部２３１から投光された光を反射させる反射部２３２、反射部２３２から反射された光を受光する受光部２３３を備えている。即ち、反射型の光センサ（投光部２３１と受光部２３３を備えた投受光器）を利用した構成になっている。
【００７８】
投光部２３２には、例えば発光ダイオード等の発光素子が設けられている。受光部２３３には、例えばフォトトランジスタ、フォトダイオード等の受光素子が設けられている。これら投光部２３１と受光部２３３は、装置本体８１に対して一体的に並べて取り付けられている。図示の例では、投光部２３１は、光を内側面１２０ｂから隙間Ｔ２に向かって投光するように設けられている。受光部２３３は、投光部２３１の下方に設けられている。
【００７９】
一方、反射部２３２は、蓋体８２に対して一体的に取り付けられており、例えば突設体１５０の内部において、側面１５０ａの近傍に設けられている。反射部２３２は、略Ｖ字状に配置された２つの反射面２３２ａ、２３２ｂを有している。反射面２３２ａは、側面１５０ａ側に向かうに従い上方に向かうように傾斜させられている。反射面２３２ｂは、反射面２３２ａの下方に設けられており、側面１５０ａ側に向かうに従い下方に向かうように傾斜させられている。なお、図示の例では、側面１５０ａは、反射部２３２が設けられている箇所においても、前述した隙間Ｔ２を構成可能な連続的な面になっており、反射部２３２がＩＣコインＣの移動を妨げないようになっている。
【００８０】
即ち、蓋体８２が閉塞位置に配置された状態で、投光部２３１から光が投光されると、投光された光は左側に向かってＸ方向に進み、隙間Ｔ２を横切り、透光性を有する側面１５０ａに入射し、反射面２３２ａにおいて反射されて下方に向かい、さらに反射面２３２ｂによって反射されて右側に向かってＸ方向に進み、側面１５０ａから出射し、再び隙間Ｔ２を横切って、受光部２３３によって受光される構成となっている。そして、受光部２３３の検出信号より、隙間Ｔ２に遮光物が存在するか否かを検出できるようになっている。
【００８１】
導出検出器２２２は、検出範囲が導出路９５の出口に位置するように、即ち、導出路９５におけるＩＣコインＣの存在の有無を検出できるように配置されている。また、導入検出器２２１とほぼ同様に、反射型の光センサを利用した構成になっており、投光部２３１、反射部２３２、受光部２３３を備えている（図９参照）。
【００８２】
貯留部用検出器２２３は、検出範囲が貯留部１０１の上端部に位置するように、即ち、貯留部１０１の上端部におけるＩＣコインＣの存在の有無（最も上側に貯留されているＩＣコインＣの存在の有無）を検出できるように配置されている。また、導入検出器２２１とほぼ同様に、反射型の光センサを利用した構成になっており、投光部２３１、反射部２３２、受光部２３３を備え、さらに、投光部２３１と受光部２３３は装置本体８１側に設けられており、反射部２３２は蓋体８２側（突設体１５０内の側面１５０ａ近傍）に設けられている。
【００８３】
回収検出器２２４は、検出範囲が貯留部１０１の下端部（回収路１０６の入口近傍）に位置するように配置されている。図示の例では、回収検出器２２４の検出範囲は、下部ストッパ１６６の前方に収容された１枚のＩＣコインＣの周縁に対して斜め下方に配置されている。即ち、回収路シャッター１６３によって回収路１０６が閉じられている状態において、回収路シャッター１６３の上面にＩＣコインＣが保持されているときは、ＩＣコインＣは回収検出器２２４の検出範囲に対して僅かにずれた位置にあり、検出されないようになっているが、回収路シャッター１６３が退出させられて回収路１０６が開かれることにより、回収路シャッター１６３による保持が解除されると、ＩＣコインＣが回収路１０６に落下する途中で、回収検出器２２４の検出範囲を横切るように構成されている。これにより、ＩＣコインＣが回収路１０６を通過したか否かを検出できるようになっている。また、導入検出器２２１とほぼ同様に、反射型の光センサを利用した構成になっており、投光部２３１、反射部２３２、受光部２３３を備え（図９参照）、さらに、投光部２３１と受光部２３３は装置本体８１側に設けられており、反射部２３２は蓋体８２側（突設体１５０内の側面１５０ａ近傍）に設けられている。
【００８４】
なお、上記のように、導入検出器２２１、貯留部用検出器２２３、回収検出器２２４は反射型の光センサを用いた構成とし、各導入検出器２２１、貯留部用検出器２２３、回収検出器２２４の投光部２３１と受光部２３３を、蓋体８２ではなく、装置本体８１側に集約して設けることにより、蓋体８２の構造を簡素にすることができる。そうすれば、蓋体８２のＸ方向における厚みを薄くすることができ、ひいては、ＩＣコイン処理装置７１のＸ方向における幅を小さくすることができる。また、透光性を有する蓋体８２を簡素な構成にすることで、凹部１１１内の状態を、蓋体８２を通して目視しやすくなる。即ち、蓋体８２を通して凹部１１１内の状態を点検するときに、投光部２３１、受光部２３３、これらに接続された配線類等によって視界が妨げられることが無く、確実に目視することができる。なお、反射部２３２は蓋体８２側に設けられているが、反射部２３２は簡単な構成であり、点検の際に目視を妨げる心配もない。
【００８５】
また、導入検出器２２１、貯留部用検出器２２３、回収検出器２２４の各々の反射部２３２を蓋体８２側に一体的に設けることで、これら複数の情報記録媒体検出器を、蓋体８２が開いているか否かを検出する手段として利用することも可能である。例えば、導入検出器２２１、貯留部用検出器２２３、回収検出器２２４の各々の投光部２３１からそれぞれ光が投光されているときに、いずれかの受光部２３３において光が受光されるときは、蓋体８２が閉じられている（即ち、各反射部２３２が光を反射可能な所定位置に配置されている）と推測できる。一方、導入検出器２２１、貯留部用検出器２２３、回収検出器２２４の各々の投光部２３１からそれぞれ光が投光されているにも関わらず、いずれの受光部２３３においても光が受光されないときは、蓋体８２が開かれている（即ち、各反射部２３２が投光部２３１と受光部２３３から離隔させられている）おそれがあると推測できる。なお、導入検出器２２１においては、ＩＣコインＣが導入路９３に導入されたときも受光が行われなくなるが、このときＩＣコインＣが検出範囲を通過する時間は短いので、受光が行われなくなる時間も比較的短時間である。また、回収検出器２２４においては、ＩＣコインＣが回収路１０６に落下するときも受光が行われなくなるが、ＩＣコインＣが検出範囲を通過する時間は短いので、受光が行われなくなる時間も比較的短時間である。これに対し、蓋体８２が開かれたときは、長時間に亘って受光が行われなくなる。従って、ＩＣコインＣの通過により受光が行われなくなった場合と蓋体８２が開かれたことにより受光が行われなくなった場合とは、受光が行われない時間の長さに基づいて、容易に識別できる。以上のようにして、複数の情報記録媒体検出器の受光状態に基づいて、蓋体８２が開かれているか否かを判別できる。従って、例えば蓋体８２の閉鎖不良、ＩＣコインＣを盗もうとする不正行為等の発見に効果的である。
【００８６】
図７に示すように、ＩＤコード読み取り手段２２５は、ＩＣコインＣに内蔵されたメモリ５を駆動する電気エネルギを電磁波を媒体として送り、かつ、メモリ５に記録されている情報を電磁波を媒体として受信するためのアンテナ２４１と、アンテナ２４１の制御等を行うアンテナ制御モジュール２４２とを備えている。アンテナ２４１は、ＩＤコード読み取り部９２の裏側（仕切り板１１３の右側面）に配置されている。アンテナ制御モジュール２４２は、例えば電子回路が構成された回路基板（プリント配線板）等によって構成されており、取り付け部１１２内に縦向きにして（Ｙ−Ｚ面に沿って）収納されている。アンテナ２４１とアンテナ制御モジュール２４２は、配線等を介して、互いに電気的に接続されている。
【００８７】
コイン処理装置制御モジュール２２６は、例えばマイクロコンピュータが構成された回路基板等によって構成されており、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の電子部品が実装されている。かかるコイン処理装置制御モジュール２２６も、取り付け部１１２内に縦向きにして（Ｙ−Ｚ面に沿って）収納されている。
【００８８】
図１８は、ＩＣコイン処理装置７１に内蔵されている各機器間の回路構成を示したブロック図である。図１８に示すように、コイン処理装置制御モジュール２２６には、各種の駆動用機器、例えば投入口シャッター移動機構１７１、導出路シャッター移動機構１７２、回収路シャッター移動機構１７３、上部ストッパ移動機構１７５、下部ストッパ移動機構１７６の各々のソレノイド１８２、モータ１９３等が、配線等を介して電気的に接続されている。さらに、各種の検出用機器、例えば切り欠き溝検出器２１１、各導入検出器２２１、導出検出器２２２、貯留部用検出器２２３、回収検出器２２４の各々の投光部２３１及び受光部２３３、アンテナ制御モジュール２４２等が、配線等を介して電気的に接続されている。また、コイン処理装置制御モジュール２２６は、ＩＣコイン処理装置７１の外部機器、例えば主制御装置７３に対して、配線等を介して電気的に接続されるようになっている。
【００８９】
次に、以上のように構成された遊技システム１０の利用方法及びメダルＭの貸し出し方法について説明する。先ず、スロットマシン２１で遊技を行おうとする遊技客は、そのスロットマシン２１に隣接しているメダル貸出機２２からメダルＭを借り受ける。このとき、遊技客は、紙幣Ｅを紙幣挿入口５１に挿入することで、又は、所定の単位金額以上の金額価値が与えられているＩＣコインＣをコイン投入口４１に投入することで、投入した紙幣Ｅ又はＩＣコインＣの金額価値と引き換えに、所定の枚数のメダルＭを借り受けることができる。即ち、例えば後述する第一のメダル貸出パターン、第二のメダル貸出パターン、第三のメダル貸出パターンのいずれかの処理に従って、メダルＭを借り受けることができる。なお、このメダル貸出機２２においては、所定の単位金額（例えば１０００円）に対して、所定の枚数（例えば５０枚）のメダルＭを一括して払い出すように設定されている。
【００９０】
最初に、第一のメダル貸出パターン、即ち、紙幣Ｅとして例えば一枚の千円札（所定の単位金額の現金）が投入された場合のメダル貸出方法について説明する。紙幣挿入口５１に投入された紙幣Ｅは、紙幣処理装置７５において真偽が識別される。その結果、真正であると判定された紙幣Ｅは、金額が読み取られ、紙幣処理装置７５内に取り込まれる。一方、真正であると判定されなかった紙幣Ｅは、紙幣挿入口５１に送り返され、メダル貸出機２２から排出される。
【００９１】
紙幣Ｅの金額が読み取られると、その金額情報が紙幣処理装置７５から主制御装置７３に送信される。そして、主制御装置７３からメダル送出装置７６に制御信号が送信され、５０枚のメダルＭを送出するように、メダル送出装置７６が駆動される。メダル送出装置７６から送出されたメダルＭは、メダル送出ノズル５７を通じて、受け皿２１ａに払い出される。
【００９２】
次に、第二のメダル貸出パターン、即ち、紙幣Ｅとして例えば五千円札や一万円札（所定の単位金額以上の現金）が投入された場合のメダル貸出方法について説明する。紙幣挿入口５１に投入された紙幣Ｅは、上述した第一のメダル貸出パターンと同様に、紙幣処理装置７５において真偽の判別、金額の読み取り等が行われ、読み取られた金額情報が主制御装置７３に送信される。
【００９３】
主制御装置７３において、紙幣処理装置７５から送信された金額情報より、投入された紙幣Ｅが所定の金額以上のものであることが検知されると、主制御装置７３からＩＣコイン処理装置７１に対して、後述するコイン移動処理、ＩＤコード読み取り処理等を行わせる制御信号が送信される。また、主制御装置７３からメダル送出装置７６に対して制御信号が送信され、上述した第一のメダル貸出パターンと同様にメダル送出装置７６が駆動され、５０枚のメダルＭが払い出される。そして、紙幣Ｅの金額から所定の単位金額を差し引いた金額価値（例えば五千円札が投入された場合は４０００円分、一万円札が投入された場合は９０００円分）が、未だメダルＭの貸し出しに使用されておらず、残額（釣銭）として残っていることが、主制御装置７３において記憶される。また、この残額の情報は、主制御装置７３からＢＢ７４、Ｉ／Ｆユニット１４を介して、売り上げ管理装置１５に送信される。
【００９４】
一方、当該遊技客によって紙幣Ｅが投入される前のメダル貸出機２２において、ＩＣコイン処理装置７１は、後述する待機状態（図１９）になっている。即ち、ＩＣコイン処理装置７１内には、予め１枚以上のＩＣコインＣ（金額価値がゼロになっている（金額価値が付与されていない）ＩＣコインＣ）が貯留された状態になっている。また、当該遊技客によって当該紙幣Ｅが投入されると、紙幣処理装置７５から主制御装置７３に送信された情報に基づいて、主制御装置７３からＩＣコイン処理装置７１に対して制御信号が送信され、ＩＣコイン処理装置７１は、後述するコイン投入禁止状態（図２０）にされる。即ち、メダル貸出機２２に対してＩＣコインＣを一時的に投入できない状態にされる。かかるＩＣコイン処理装置７１に対して、主制御装置７３から上記のコイン移動処理、ＩＤコード読み取り処理等を行わせる制御信号が送信されると、ＩＣコイン処理装置７１において後述するコイン移動処理（図２１）が行われることにより、ＩＣコイン処理装置７１は後述するＩＤコード読み取り可能状態（図２２）にされ、後述するＩＤコード読み取り処理が行われる。これにより、ＩＣコイン処理装置７１内に貯留されていたＩＣコインＣのうち１枚のＩＣコインＣから、ＩＤコードが読み取られる。なお、かかるＩＣコイン処理装置７１の待機状態、コイン投入禁止状態、コイン移動処理、ＩＤコード読み取り可能状態、ＩＤコード読み取り処理等については、後に詳細に説明する。
【００９５】
ＩＤコード読み取り処理によって読み取られたＩＤコードの情報は、ＩＣコイン処理装置７１から主制御装置７３に送信され、さらに、ＢＢ７４、Ｉ／Ｆユニット１４を介して、売り上げ管理装置１５に送信される（ＩＤコード情報送信処理）。こうして、売り上げ管理装置１５には、残額の情報と、一枚のＩＣコインＣのＩＤコードの情報とがそれぞれ送信され、売り上げ管理装置１５は、当該残額とＩＤコードとを互いに対応させて（関連付けて）記憶する。即ち、ＩＣコイン処理装置７１において選択された１枚のＩＣコインＣが、新たな残額に相当する金額価値を有することが記憶される（金額価値付与処理）。
【００９６】
以上のように、金額価値付与処理が行われた状態においては、遊技客は、貸出要求スイッチ４５、コイン返却スイッチ４６のいずれかを選択的に押圧操作することにより、残額を利用して更にメダルＭを借り受けるか、あるいは、残額に相当する金額価値が与えられたＩＣコインＣを受け取るかを選択することができる。
【００９７】
例えば残額を利用して更にメダルＭを借り受けたい場合は、借り受けようとするメダルＭの枚数に応じて、貸出要求スイッチ４５を１回以上押せば良い。貸出要求スイッチ４５は、１回押されるごとに、所定枚数（５０枚）のメダルＭの貸し出しを要求する旨の信号を主制御装置７３に対して送信する。主制御装置７３は、残額と、貸出要求スイッチ４５が押された回数ｎとを比較し、要求された枚数（５０×ｎ）のメダルＭを貸し出せるか否かを判定する。そして、貸し出しが可能な範囲において複数枚のメダルＭを送出するように、メダル送出装置７６に制御信号を送信する。これによりメダルＭが追加して貸し出され、主制御装置７３は、追加して貸し出されたメダルＭの枚数に相当する金額価値が消費されたことを検知する。そして、新たな残額の情報が、主制御装置７３から売り上げ管理装置１５に送信され、売り上げ管理装置１５において、ＩＣコインＣの金額価値が新たな残額に更新される（金額価値更新処理）。
【００９８】
同様にして、新たな残額を利用してさらにメダルＭの貸し出しを要求することも可能であるが、例えばメダルＭの貸し出しをそれ以上要求せず、ＩＣコインＣをメダル貸出機２２から受け取りたい場合は、コイン返却スイッチ４６を押せば良い。コイン返却スイッチ４６が押されると、主制御装置７３に対して返却要求信号が送信され、主制御装置７３からＩＣコイン処理装置７１に対して制御信号が送信される。すると、ＩＣコイン処理装置７１において、後述するコイン払出処理（図２３）が行われることにより、残額に相当する金額価値が与えられたＩＣコインＣが、コイン払出口４２から払い出される。かかるコイン払出処理については、後に詳細に説明する。
【００９９】
因みに、貸出要求スイッチ４５の押圧によりメダルＭを借り受けたことで、残額がゼロになった（金額価値がなくなった）場合は、ＩＣコイン処理装置７１において、後述するコイン貯留処理（図２４）が行われる。このコイン貯留処理が行われた場合は、コイン返却スイッチ４６が押されても、コイン払出処理は行われない。かかるコイン貯留処理については、後に詳細に説明する。
【０１００】
次に、第三のメダル貸出パターン、即ち、所定の単位金額以上の金額価値が与えられているＩＣコインＣが投入された場合のメダル貸出方法について説明する。先ず、当該遊技客によってＩＣコインＣが投入される前のメダル貸出機２２において、ＩＣコイン処理装置７１は、例えば後述する第二の待機状態（図２５）あるいは第一の待機状態（図１９）等になっている。かかる待機状態において、遊技客によってＩＣコインＣがコイン投入口４１に投入されると、当該ＩＣコインＣは後述するようにＩＣコイン処理装置７１内に導入され、ＩＣコイン処理装置７１は後述するコイン投入禁止状態、ＩＤコード読み取り可能状態（図２２）になる。かかるＩＣコイン処理装置７１において、前述した第二のメダル貸出パターンにおいて行われるＩＤコード読み取り処理とほぼ同様の処理が行われることにより、遊技客によって投入されたＩＣコインＣのＩＤコードが読み取られる。
【０１０１】
ＩＤコード読み取り処理において、ＩＣコインＣからＩＤコードが正常に読み取られた場合は、上述した第二のメダル貸出パターンにおけるＩＤコード情報送信処理とほぼ同様に、読み取られたＩＤコードの情報が、主制御装置７３と売り上げ管理装置１５に送信される。売り上げ管理装置１５においては、主制御装置７３から送信されたＩＤコードに対応する金額価値（即ち、遊技客によってメダル貸出機２２に投入されたＩＣコインＣに与えられている金額価値）が検索される。そして、検索された金額価値の情報が、Ｉ／Ｆユニット１４、ＢＢ７４を介して、主制御装置７３に送信される（金額価値返信処理）。こうして、遊技客によって投入されたＩＣコインＣの金額価値が、主制御装置７３において検知される。
【０１０２】
以上のように金額価値返信処理が行われると、上述した第二のメダル貸出パターンにおいて金額価値付与処理又は金額価値更新処理が行われた場合と同様に、遊技客は、貸出要求スイッチ４５、コイン返却スイッチ４６のいずれかを選択的に押すことにより、ＩＣコインＣの金額価値を利用してメダルＭを借り受けるか、あるいは、ＩＣコインＣの返却を要求するかを選択することができる。貸出要求スイッチ４５を押した場合の動作、コイン返却スイッチ４６を押した場合の動作（コイン払出処理等）等は、上述した第二のメダル貸出パターンにおいて説明したものとほぼ同様であるため、重複する説明は省略する。
【０１０３】
なお、前述したＩＤコード読み取り処理において、遊技客によって投入されたＩＣコインＣからＩＤコードが正常に読み取られなかった場合、あるいは、読み取られたＩＤコードが売り上げ管理装置１５に記憶されているもののいずれにも該当しなかった場合等は、ＩＣコイン処理装置７１において、後述するコイン排出処理（図２３）が行われる。これにより、遊技客によって投入されたＩＣコインＣは、後述するように、メダルＭの貸出に使用されることなく、コイン払出口４２を通じて排出され、遊技客に返却される。なお、かかるコイン排出処理については、後に詳細に説明する。
【０１０４】
因みに、上記のようにＩＤコードが正常に読み取られなかった場合あるいは売り上げ管理装置１５に記憶されているもののいずれにも該当しなかった場合等は、異常が発生したことが管理者等に報知されるようにしても良い。例えば、状態表示ランプ４４、ホールコンピュータ１３等によって異常報知が行われるようにしても良い。また、かかる異常報知は、後述するコイン排出処理が行われないまま、即ち、ＩＣコインＣが返却されないままの状態で行われるようにしても良い。そして、例えば管理者による確認作業が行われるまで、当該メダル貸出機２２の稼動が一時停止状態にされるように、即ち、メダルＭの貸し出し動作等が一時的に行われない状態が維持されるようにしても良い。
【０１０５】
また、この第三のメダル貸出パターンにおいて、貸出要求スイッチ４５の押圧によりメダルＭを借り受けたことで、遊技客によって投入されたＩＣコインＣに与えられていた金額価値が減少し、ゼロになった場合は、ＩＣコイン処理装置７１において、後述するコイン貯留処理（図２４）、又は、後述するコイン回収処理（図２６、図２７、図２８）が行われる。例えば、ＩＣコイン処理装置７１にＩＣコインＣが投入される前の待機状態において、ＩＣコイン処理装置７１内に所定の設定貯留枚数（本実施形態においては４枚）未満のＩＣコインＣが貯留されていた場合（例えば図２５のような第二の待機状態であった場合）は、コイン貯留処理が行われる。一方、ＩＣコイン処理装置７１内に所定の設定貯留枚数以上のＩＣコインＣが既に貯留されていた場合（例えば図１９のような第一の待機状態であった場合）は、コイン回収処理が行われる。
【０１０６】
以上のようにして、遊技客は、紙幣Ｅ又はＩＣコインＣをメダル貸出機２２に投入することにより、メダルＭを借り受け、このメダルＭを利用して、スロットマシン２１で遊技を行うことができる。また、上述した第二のメダル貸出パターン又は第三のメダル貸出パターンにおいて、コイン払出処理によりメダル貸出機２２から払い出されたＩＣコインＣは、精算機１２による精算、あるいは、ＩＣコインＣを利用したメダルＭの借り受け（即ち、例えば上述した第三のメダル貸出パターン）に利用することができる。
【０１０７】
例えば遊技客がＩＣコインＣを精算機１２に投入した場合は、精算機１２において、投入されたＩＣコインＣのＩＤコードが読み取られ、読み取られたＩＤコードの情報が、売り上げ管理装置１５に送信される。売り上げ管理装置１５においては、精算機１２から受信したＩＤコードの情報に基づいて、そのＩＤコードに対応する金額価値（即ち、精算機１２に投入されたＩＣコインＣに与えられている残額）が検索される。そして、検索された金額価値の情報が、精算機１２に送信され、当該金額価値に相当する現金が、精算機１２から釣銭として払い出される。こうして、ＩＣコインＣに与えられた残額を精算することができる。なお、精算が行われた後の（即ち、金額価値がゼロに戻された）ＩＣコインＣは、精算機１２において回収され、遊技システム１０において再利用される。
【０１０８】
ところで、例えば上記の第二の貸し出しパターンが行われたこと等により、ＩＣコイン処理装置７１内（貯留部１０１）にＩＣコインＣが１枚も貯留されていない状態になることがある。即ち、それ以上ＩＣコインＣを遊技客に払い出すことができず、第二のメダル貸し出しパターンを実行できなくなることがある。そのような場合は、例えば紙幣Ｅ、ＩＣコインＣのいずれもメダル貸出機２２に投入できない状態（即ち、例えば紙幣Ｅが紙幣処理装置７５に取り込まれずに紙幣挿入口５１に送り返される状態、あるいは、ＩＣコイン処理装置７１の投入口９１が閉塞された状態）にし、メダル貸出機２２によるメダルＭの貸し出しを中止するようにしても良い。あるいは、紙幣Ｅを投入できない状態にし、ＩＣコインＣのみを投入できる状態、即ち、第三のメダル貸し出しパターンのみ実行できる状態にしても良い。又は、五千円札や一万円札は投入できない（紙幣処理装置７５に取り込まれない）が、千円札かＩＣコインＣのいずれかは投入できる状態、即ち、第一のメダル貸し出しパターンと第三のメダル貸し出しパターンのいずれかを実行できる状態にしても良い。つまり、少なくとも第二のメダル貸し出しパターンが一時的に開始されない状態にし、その後、例えば管理者等によってＩＣコイン処理装置７１内にＩＣコインＣが補給されたら（ＩＣコインＣの補給作業が行われたら）、第二のメダル貸し出しパターンも再開できるようにすれば良い。
【０１０９】
なお、メダル貸出機２２の稼働状態、例えば、紙幣Ｅの投入が禁止されているか否か、ＩＣコインＣの投入が禁止されているか否か等の情報は、例えば情報表示部４３の画面表示、あるいは、状態表示ランプ４４の点灯色等によって、メダル貸出機２２の正面から確認できるように、即ち、遊技客等に対して報知できるようにしても良い。
【０１１０】
また、例えば、ＩＣコイン処理装置７１内に貯留されているＩＣコインＣの枚数、あるいは、ＩＣコインＣの補給作業を行う必要があるか否か等の情報は、管理者等に報知できるようにしても良い。例えば、ＩＣコイン処理装置７１から主制御装置７３を介して、ホールコンピュータ１３等に信号が送信され、ホールコンピュータ１３の画面等に、メダル貸出機２２に関する情報が表示されるようにしても良い。また、例えば、ＩＣコイン処理装置７１内（貯留部１０１）に貯留されているＩＣコインＣの枚数が、所定の枚数（例えば１枚）以下になったときに、ＩＣコインＣの補給作業を要求する旨（補給要求）が、管理者等に対して表示されるようにしても良い。かかる補給要求は、例えばホールコンピュータ１３の画面、あるいは、状態表示ランプ４４の点灯色等によって報知されるようにしても良い。そして、この補給要求を管理者等が確認した場合に、直ちにＩＣコインＣの補給作業を行うようにすれば、即ち、ＩＣコインが貯留部１０１に１枚以上残っているうちに、補給作業を行うようにすれば、貯留部１０１が空になってしまうことを未然に防止できる。
【０１１１】
また、管理者にとっては必要であるが遊技客にとっては不要な情報、例えば、ＩＣコイン処理装置７１内に貯留されているＩＣコインＣの枚数等の特別な情報は、例えば、管理者等によって所定の特殊な操作が行われた場合のみ、情報表示部４３等に表示されるようにしても良い。例えば、遊技客が行うことができない操作（例えば施錠機構４７を解錠する等）、あるいは、遊技客が行う可能性が低い操作（例えば、貸出要求スイッチ４５とコイン返却スイッチ４６を同時に所定時間以上のあいだ押し続ける等）が実施された場合に、表示されるようにしても良い。そうすれば、遊技客にとって不要な情報や意味が理解できない情報が、遊技客に対して表示されることを防止できるので、遊技客を混乱させることを防止できる。
【０１１２】
因みに、遊技場等において、ＩＣコインＣがメダル貸出機２２のみに利用される場合には、ＩＣコインＣには、常に上記単位金額の整数倍の金額価値が付与されるので、メダル貸出機２２からは５０枚の整数倍のメダルＭが払い出されるようにするだけで良いが、メダル貸出機２２で利用されるＩＣコインＣの金額価値が、他のシステムにおいても共通の金銭価値媒体として使用される場合等も考えられる。そのような場合は、単位金額の整数倍以外の金額価値が、メダル貸出機２２に投入されることがある。即ち、単位金額よりも少ない金額価値（例えば１００円等）が付与されたＩＣコインＣが投入される場合がある。また、単位金額よりも多いが単位金額で割り切れない金額価値（例えば１１００円等））が付与されたＩＣコインＣが投入され、メダル貸出機２２においてＩＣコインＣの金額価値を利用したメダルＭの貸し出しが行われたことにより、残額が単位金額よりも少なくなることもある。そのような場合は、例えばそのＩＣコインＣに付与された金額価値に比例した枚数（５０枚よりも少ない枚数）のメダルＭが貸し出されるようにしても良い。
【０１１３】
例えば最小単位金額を２０円と設定し、２０円に対して１枚のメダルＭが貸し出されるようにする。そして、ＩＣコインＣに付与された金額価値が例えば１００円（最小単位金額によって割り切れる値）である場合は、５枚（ＩＣコインＣの金額価値を最小金額価値によって割ったときの商に相当する数（１００／２０））のメダルＭが一括して自動的に払い出され、ＩＣコインＣの金額価値がゼロになるようにしても良い。また、ＩＣコインＣに付与された金額価値が例えば５０円（最小単位金額によって割り切れない値）である場合は、４０円分に相当する２枚（ＩＣコインＣの金額価値を最小金額価値によって割ったときの商に相当する数）のメダルＭが一括して自動的に払い出され、ＩＣコインＣの金額価値が残額の１０円（ＩＣコインＣの金額価値を最小金額価値によって割ったときの余りに相当する数）に更新された後、遊技者に返却されるようにしても良い。このようにすると、メダルＭの貸し出しによってＩＣコインＣの金額価値がゼロになる機会、即ち、ＩＣコイン処理装置７１において後述するコイン貯留処理又はコイン回収処理が行われる機会を増加させることができる。つまり、遊技客によって投入されたＩＣコインＣが遊技客に返却されずに貯留部１０１に収容される機会が多くなるので、管理者によるＩＣコインＣの補給作業を少なくすることができる。従って、管理者の負担を低減できる。
【０１１４】
次に、前述した第二のメダル貸出パターンにおけるＩＣコイン処理装置７１の動作について、図１９〜図２４を参照しながら詳細に説明する。図１９〜図２４は、ＩＣコイン処理装置７１の構成と動作を概略的に示した図である。なお、説明の便宜のため、図１９〜図２４においては、投入口シャッター１６１、導出路シャッター１６２、回収路シャッター１６３、上部ストッパ１６５、下部ストッパ１６６については、投入口９１、導出路９５、コイン誘導・貯留空間１３０等に突出している状態を、実線で示し、投入口９１、導出路９５、コイン誘導・貯留空間１３０等から退避している状態を、一点鎖線で示している。
【０１１５】
先ず、図１９に例示したＩＣコイン処理装置７１の待機状態、即ち、メダル貸出機２２に対して紙幣Ｅ、ＩＣコインＣのいずれも当該遊技客によって投入されていないときのＩＣコイン処理装置７１の状態について説明する。かかる待機状態においては、投入口シャッター１６１は退避させられ、投入口９１が開口されている。一方、導出路９５は導出路シャッター１６２によって閉塞され、回収路１０６は回収路シャッター１６３によって閉塞され、上部ストッパ１６５、下部ストッパ１６６はそれぞれコイン誘導・貯留空間１３０内に突出させられている。また、貯留部１０１には、ＩＣコインＣが貯留部１０１に沿って貯留されているが、ＩＤコード読み取り部９２、導入路９３、回収路１０６には、ＩＣコインＣが存在しない状態になっている。移動体２０３は、貯留部１０１に貯留されたＩＣコインＣよりも下方に配置され、あるいは、貯留されたＩＣコインＣのうち最も下方に配置されたＩＣコインＣに当接して、貯留されたＩＣコインＣを下方から持ち上げるようにして保持している。なお、図示の例では、貯留部１０１には４枚のＩＣコインＣが一列に貯留された状態が示されているが、かかる例には限定されず、１枚以上４枚以下の任意の枚数のコインＣが貯留される。また、図示の例では、移動体２０３は第一の保持位置ＰＭ１に配置されているが、待機位置ＰＭ０でも良く、あるいは貯留部１０１に貯留されているＩＣコインＣの枚数に応じて、第二の保持位置ＰＭ２、第三の保持位置ＰＭ３、第四の保持位置ＰＭ４等に配置されていても良い。また、各導入検出器２２１、導出検出器２２２、貯留部用検出器２２３、回収路検出器２２４においては、常に各投光部２３１から光が投光されている状態、即ち、各導入検出器２２１、導出検出器２２２、貯留部用検出器２２３、回収路検出器２２４の検出範囲をＩＣコインＣが通過するか否かを常時検出できる状態にしておいても良い。
【０１１６】
次に、図２０に例示したコイン投入禁止状態について説明する。かかるコイン投入禁止状態においては、投入口９１が投入口シャッター１６１によって閉塞され、これにより、投入口９１（コイン投入口４１）にＩＣコインＣを投入できない状態にされる。この第二のメダル貸出パターンにおいては、ＩＣコイン処理装置７１が待機状態になっている間に、紙幣Ｅが紙幣投入口５１に投入されたことが、主制御装置７３において検知されると、主制御装置７３からコイン処理装置制御モジュール２２６に制御信号が送信され、コイン処理装置制御モジュール２２６の制御により投入口シャッター移動機構１７１が駆動され、投入口シャッター１６１が突出させられることで、コイン投入禁止状態にされる。
【０１１７】
次に、図２１に例示したコイン移動処理について説明する。このコイン移動処理は、例えば主制御装置７３において、未だメダルＭの貸し出しに使用されていない残額が残っていることが検知され、主制御装置７３からコイン処理装置制御モジュール２２６に制御信号が送信されることにより開始される。かかるコイン移動処理においては、先ず、コイン処理装置制御モジュール２２６の制御により、上部ストッパ１６５がコイン誘導・貯留空間１３０から退避させられる。そして、モータ１９３の駆動により、回動部材１９１が左側面８１ｅ側からみて右回転させられる。即ち、移動体２０３が貯留部１０１に沿って上昇させられる。すると、貯留部１０１において最も下方に収納されていたＩＣコインＣが、移動体２０３によって押し上げられ、その上方に積み重ねて収納されていたＩＣコインＣも、それぞれ下方のＩＣコインＣによって押し上げられる。こうして、移動体２０３の上昇に伴い、貯留部１０１内の総てのＩＣコインＣが、貯留部１０１に沿って上昇させられ、貯留部１０１において最も上方に収納されていた１枚のＩＣコインＣが、ＩＤコード読み取り部９２に移動させられる（貯留部１０１にＩＣコインＣが１枚しか貯留されていない場合は、そのＩＣコインＣが移動体２０３によって直接押し上げられ、ＩＤコード読み取り部９２まで移動させられる。）。こうして、移動体２０３が待機状態よりも上方、例えば第一の保持位置ＰＭ１から第二の保持位置ＰＭ２に１段階上昇させられることにより、１枚のＩＣコインＣがＩＤコード読み取り部９２に移動させられると、コイン処理装置制御モジュール２２６の制御により、モータ１９３の駆動、即ち移動体２０３とＩＣコインＣの移動が、一旦停止させられる。以上のようにして、コイン移動処理が終了する。
【０１１８】
コイン移動処理後は、図２２に示すように、上部ストッパ１６５が再びコイン誘導・貯留空間１３０内に突出させられる。すると、ＩＤコード読み取り部９２に移動させられたＩＣコインＣの周縁部の後側が、上部ストッパ１６５に当接した状態となる。これによりＩＣコイン処理装置７１は、１枚のＩＣコインＣをＩＤコード読み取り部９２内に保持している状態、即ち、ＩＤコード読み取り可能状態にされる。この状態では、ＩＤコード読み取り手段２２５によってＩＣコインＣのＩＤコードを読み取ること、即ち、ＩＤコード読み取り処理を行うことができる。
【０１１９】
次に、ＩＤコード読み取り処理について説明する。ＩＣコイン処理装置７１がＩＤコード読み取り可能状態にされた状態において、コイン処理装置制御モジュール２２６の制御により、アンテナ制御モジュール２４２からアンテナ２４１に電流が通電される。すると、電磁誘導作用によりアンテナ２４１からアンテナ６に対して電気エネルギが与えられ、また、そのＩＣコインＣに与えられた固有のＩＤコードの情報が、アンテナ制御モジュール２４２によってメモリ５から読み取られる。こうして読み取られたＩＤコードの情報は、アンテナ制御モジュール２４２からコイン処理装置制御モジュール２２６に送信され、さらに前述したように、主制御装置７３、売り上げ管理装置１５に送信される。
【０１２０】
次に、図２３に例示したコイン払出処理について説明する。先ず、ＩＣコイン処理装置７１がＩＤコード読み取り可能状態にされた状態において、コイン返却スイッチ４６が押されると、主制御装置７３に対して返却要求信号が送信され、主制御装置７３からコイン処理装置制御モジュール２２６に制御信号が送信される。そして、コイン処理装置制御モジュール２２６の制御により、導出路シャッター１６２が導出路９５の上端部から退出させられ、ＩＤコード読み取り部９２と導出路９５とが互いに連通させられる。すると、ＩＣコインＣが自重によりＩＤコード読み取り部９２から導出路９５に転動しながら落下し、導出路９５、払出口９４を通じて排出され、コイン払出口４２から払い出される。なお、ＩＣコインＣが払出口９４から払い出されたことは、導出検出器２２２によって検出でき、導出検出器２２２からの電気信号により、コイン処理装置制御モジュール２２６において検知できる。
【０１２１】
なお、コイン払出処理によってＩＣコインＣが払い出された後は、コイン処理装置制御モジュール２２６の制御により、再び投入口シャッター１６１が退避させられて投入口９１が開口される。即ち、上述した待機状態（図１９）に戻される。因みに、コイン払出処理が行われた後に貯留部１０１内に残っているＩＣコインＣの枚数は、コイン移動処理が行われる前の待機状態における枚数よりも、１枚少なくなる。つまり、上記のコイン移動処理とコイン払出処理が繰り返されると、貯留部１０１内のＩＣコインＣが減少して不足することがある。その場合は、管理者によるＩＣコインＣの補給作業が行われる。
【０１２２】
次に、図２４に例示したコイン貯留処理について説明する。先ず、遊技客がメダルＭを借り受けたことで、ＩＤコード読み取り部９２に保持されているＩＣコインＣの金額価値がゼロになったことが、主制御装置７３において認識されると、主制御装置７３からコイン処理装置制御モジュール２２６に制御信号が送信され、コイン処理装置制御モジュール２２６の制御により、上部ストッパ１６５が退避させられる。また、モータ１９３の駆動により、回動部材１９１が左側面８１ｅ側からみて左回転させられる。即ち、移動体２０３が貯留部１０１に沿って下降させられる。すると、貯留部１０１において移動体２０３の上方に積み重ねられているＩＣコインＣは、最も下方に存在するＩＣコインＣが移動体２０３上に支持されながら、移動体２０３の下降に伴ってそれぞれ下降し、さらに、ＩＤコード読み取り部９２に保持されていたＩＣコインＣが、貯留部１０１に下降する（貯留部１０１にＩＣコインＣが存在しない場合は、ＩＤコード読み取り部９２に保持されていたＩＣコインＣが、移動体２０３上に直接支持されながら、貯留部１０１に下降する）。こうして、移動体２０３がＩＣコインＣを支持しながら、例えば第二の保持位置ＰＭ２から第一の保持位置ＰＭ１に１段階下降させられることにより、ＩＤコード読み取り部９２に保持されていたＩＣコインＣが貯留部１０１に戻されると、コイン処理装置制御モジュール２２６の制御により、モータ１９３の駆動、即ち移動体２０３とＩＣコインＣの移動が一旦停止させられ、コイン貯留処理が終了する。
【０１２３】
なお、コイン貯留処理が終了した後は、再び上部ストッパ１６５が突出させられ、また、投入口シャッター１６１が退避させられて投入口９１が開口される。即ち、上述した待機状態（図１９）に戻される。また、このコイン貯留処理が行われることにより、ＩＤコード読み取り部９２にはＩＣコインＣが存在しない状態となる。従って、遊技客によってコイン返却スイッチ４６が押され、導出路シャッター１６２が導出路９５から退出させられたとしても、金額価値がゼロであるＩＣコインＣがコイン払出口４２から払い出されることはない。このように、金額価値がゼロになったＩＣコインＣを遊技客に渡さず、貯留部１０１に収容することにより、ＩＣコインＣの再利用を確実に行うことができる。
【０１２４】
次に、上述した第三のメダル貸出パターンにおけるＩＣコイン処理装置７１の動作について、図２２〜図２４、さらに図２５〜図２８も参照しながら詳細に説明する。なお、図２５〜図２８においても、説明の便宜のため、投入口シャッター１６１、導出路シャッター１６２、回収路シャッター１６３、上部ストッパ１６５、下部ストッパ１６６については、投入口９１、導出路９５、コイン誘導・貯留空間１３０等に突出している状態を、実線で示し、投入口９１、導出路９５、コイン誘導・貯留空間１３０等から退避している状態を、一点鎖線で示している。
【０１２５】
先ず、図２５に例示したＩＣコイン処理装置７１の第二の待機状態は、図１９に例示した第二のメダル貸出パターンにおける待機状態とほぼ同様であるが、図１９に示した例においては、貯留部１０１に貯留されているＩＣコインＣの枚数が、所定の設定貯留枚数である４枚になっているのに対し、図２５に示す例では、設定貯留枚数より１枚少ない３枚になっている点が異なっている。かかる第二の待機状態において、コイン投入口４１にＩＣコインＣが投入されると、図２５に示すように、ＩＣコインＣは投入口９１を通じてＩＣコイン処理装置７１内に導入され、ＩＣコインＣの自重によって転動しながら、導入路９３を通じて、ＩＤコード読み取り部９２に落下する。そして、ＩＣコインＣの周縁部が上部ストッパ１６５に当接し、ＩＣコインＣが停止させられ、ＩＣコインＣがＩＤコード読み取り部９２内に保持された状態になる。また、ＩＣコインＣが投入口９１を通過すると、ＩＣコイン処理装置７１は上述したコイン投入禁止状態にされる。従って、図２２に例示した第二のメダル貸出パターンにおけるＩＤコード読み取り可能状態と同様の状態になる。
【０１２６】
なお、第三のメダル貸出パターンにおいては、ＩＣコイン処理装置７１が待機状態になっている間に、ＩＣコインＣが投入口９１に投入されたことが、導入検出器２２１によって検出され、主制御装置７３において検知されると、主制御装置７３からコイン処理装置制御モジュール２２６に、制御信号が送信され、コイン処理装置制御モジュール２２６の制御により、投入口シャッター１６１が突出させられ、コイン投入禁止状態にされる。
【０１２７】
次に、コイン排出処理について説明する。先ず、ＩＤコード読み取り処理において、ＩＤコードが正常に読み取られなかったこと、あるいは、読み取られたＩＤコードが売り上げ管理装置１５に記憶されているもののいずれにも該当しなかったことが、主制御装置７３において検知されると、主制御装置７３からコイン処理装置制御モジュール２２６に制御信号が送信され、上述したコイン払出処理と同様に、導出路シャッター１６２が退出させられる（図２３参照）。そして、ＩＣコインＣがＩＤコード読み取り部９２から導出路９５、払出口９４を通じて、コイン払出口４２から払い出される。
【０１２８】
なお、コイン排出処理によってＩＣコインＣがＩＤコード読み取り部９２から払い出された後は、上述したコイン払出処理と同様に、コイン処理装置制御モジュール２２６の制御により、再び投入口シャッター１６１が退避させられて投入口９１が開口され、第二の待機状態（図２５）に戻される。
【０１２９】
次に、図２６〜図２８を参照しながら、コイン回収処理について説明する。先ず、遊技客がメダルＭを借り受けたことで、ＩＤコード読み取り部９２に保持されているＩＣコインＣの金額価値がゼロになったことが、主制御装置７３において検知されると、主制御装置７３からコイン処理装置制御モジュール２２６に対して制御信号が送信される。コイン処理装置制御モジュール２２６においては、例えばＩＣコインＣが貯留部１０１の上部ストッパ１６５と下部ストッパ１６６との間に所定の設定貯留枚数（上部ストッパ１６５と下部ストッパ１６６との間における最大容量）まで貯留されているか否かに基づいて、上述したコイン貯留処理、コイン回収処理のいずれを行うかが判別される。例えば所定の設定貯留枚数のＩＣコインＣが上部ストッパ１６５と下部ストッパ１６６との間に貯留されている待機状態（図１９）においてＩＣコインＣが投入され、図２６に示すようにＩＤコード読み取り部９２に保持され、メダルＭを借り受けたことでＩＣコインＣの金額価値がゼロになり、上部ストッパ１６５と下部ストッパ１６６との間にそれ以上のＩＣコインＣを貯留できない場合は、コイン回収処理が行われる。
【０１３０】
なお、ＩＣコインＣが上部ストッパ１６５と下部ストッパ１６６との間に設定貯留枚数まで貯留されているか否かは、例えば回転角検出手段２１２の切り欠き溝検出器２１１の検出信号と、貯留部用検出器２２３の検出信号とに基づいて、コイン処理装置制御モジュール２２６において判別できる。即ち、移動体２０３が第一の保持位置ＰＭ１に存在する状態で、貯留部用検出器２２３によってＩＣコインＣの存在が検出された場合は、４枚のＩＣコインＣが上部ストッパ１６５と下部ストッパ１６６との間に貯留されている、即ち、所定の設定貯留枚数まで貯留されていると判別できる。
【０１３１】
コイン回収処理を行うと判断されると、先ず、図２７に示すように、移動体２０３が第一の保持位置ＰＭ１に配置された状態において、コイン処理装置制御モジュール２２６の制御により、上部ストッパ１６５、下部ストッパ１６６がそれぞれ退避させられる。そして、モータ１９３の駆動により、移動体２０３が第一の保持位置ＰＭ１から待機位置ＰＭ０に向かって移動させられる。すると、貯留部１０１において移動体２０３の上方に積み重ねられているＩＣコインＣは、最も下方に存在するＩＣコインＣが移動体２０３によって支持されながら、移動体２０３の移動に伴ってそれぞれ下降する。移動体２０３が待機位置ＰＭ０に到達すると、最も下方に存在するＩＣコインＣは、下部ストッパ１６６の前方に搬出される。また、下方から２番目に存在するＩＣコインＣは、最も下方に存在するＩＣコインＣによって支持された状態で、下部ストッパ１６６の後方（上方）に配置される。そして、ＩＤコード読み取り部９２に保持されていたＩＣコインＣは、貯留部１０１の上端部に下降する。
【０１３２】
こうして、最も下方に貯留されていた１枚のＩＣコインＣが、下部ストッパ１６６の前方に移動させられ、ＩＤコード読み取り部９２に保持されていたＩＣコインＣが貯留部１０１に移動させられると、コイン処理装置制御モジュール２２６の制御により、モータ１９３の駆動、即ち移動体２０３とＩＣコインＣの移動が、一旦停止させられる。さらに、上部ストッパ１６５、下部ストッパ１６６がそれぞれ突出させられる。すると、下部ストッパ１６６の上方に存在するＩＣコインＣが、下部ストッパ１６６に周縁部が当接させられた状態で保持される。即ち、上部ストッパ１６５と下部ストッパ１６６の間に貯留された４枚のＩＣコインＣが、下部ストッパ１６６から下降できない状態に保持される。こうして下部ストッパ１６６が突出させられた後、図２８に示すように、回収路シャッター１６３が退避させられ、回収路１０６が開口される。これにより、下部ストッパ１６６の前方に保持されていたＩＣコインＣが、回収路１０６、回収口１０５を通じて、コイン回収部７２に落下する。以上のようにして、コイン回収処理が終了する。なお、コイン回収処理後は、回収路シャッター１６３が再び突出させられ、回収路１０６が閉塞される。即ち、第一の待機状態（図１９）に戻される。
【０１３３】
以上のようなコイン回収処理を行うことにより、ＩＣコインＣをＩＤコード読み取り部９２から貯留部１０１に移動させようとするときに、上部ストッパ１６５と下部ストッパ１６６の間に最大容量のＩＣコインＣが貯留されている場合であっても、余分なＩＣコインＣを貯留部１０１から排出させ、コイン回収部７２に回収させることで、ＩＣコインＣをＩＤコード読み取り部９２から貯留部１０１に確実に移動させて貯留することができる。
【０１３４】
ところで、前述したように、このＩＣコイン処理装置７１にあっては、第二のメダル貸出パターンにおいてコイン払出処理が行われると、貯留部１０１内に残っているＩＣコインＣの枚数は、コイン移動処理とコイン払出処理が行われる前に貯留部１０１に貯留されていたＩＣコインＣの枚数よりも少なくなる。従って、第二のメダル貸出パターンが連続して行われると、貯留部１０１に貯留されているＩＣコインＣの枚数が次第に減少し、ゼロになる可能性がある。この場合、第二のメダル貸出パターンをそれ以上実現できなくなってしまう。即ち、金額価値を有するＩＣコインＣを払い出せず、遊技客に残額を返却できなくなるおそれがある。そのため、貯留部１０１にＩＣコインＣが常に１枚以上存在するように、ＩＣコインＣを適宜補給する必要がある。このＩＣコイン処理装置７１においては、貯留部１０１に貯留されているＩＣコインＣの枚数は、例えば切り欠き溝検出器２１１の検出信号と、貯留部用検出器２２３の検出信号とに基づいて、コイン処理装置制御モジュール２２６において判別することが可能である。また、蓋体８２を透光性を有する材質によって形成することにより、貯留部１０１にＩＣコインＣが貯留されているか否かを、管理者等が蓋体８２を通して、目視によって確認することもできる。
【０１３５】
また、このＩＣコイン処理装置７１にあっては、蓋体８２を透光性を有する材質によって形成することにより、貯留部１０１だけでなく、凹部１１１内の他の部分の状態、例えば導入路９３、ＩＤコード読み取り部９２、貯留部１０１、回収路１０６、回動部材１９１（移動体２０３）、回収路シャッター１６３、上部ストッパ１６５、下部ストッパ１６６等の状態も、管理者等が蓋体８２を通して、目視によって点検することができる。特に、このＩＣコイン処理装置７１が設けられたメダル貸出機２２にあっては、上部パネル３２を外して、ＩＣコイン処理装置７１を筐体６０の前方に向かってＹ方向に引き出すだけで、左側部８１ｅが筐体６０の外側に露出させられ、蓋体８２を目視可能な状態になるので、凹部１１１内の様子を簡単かつ迅速に確認することができる。即ち、ＩＣコイン処理装置７１を筐体６０から引き出した後、蓋体８２を外したりＩＣコイン処理装置７１の向きを変えたりするような面倒な作業を行うことなく、直ちに凹部１１１内の様子を確認できる。
【０１３６】
さらに、このＩＣコイン処理装置７１にあっては、各導入検出器２２１、貯留部用検出器２２３、回収検出器２２４の投光部２３１及び受光部２３３、搬送手段１７０、投入口シャッター１６１、導出路シャッター１６２、回収路シャッター１６３、上部ストッパ１６５、下部ストッパ１６６等の機器が、装置本体８１側にまとめて取り付けられており、蓋体８２は簡素な構成になっている。そのため、蓋体８２を通して凹部１１１内の状態を目視によって確認する際、機器類が邪魔にならず、目視を行いやすい。
【０１３７】
また、例えば投入口９１から投入されたＩＣコインＣや異物等が、コイン誘導・貯留空間１３０内等で引っ掛かったりして、ＩＣコインＣや移動体２０３が移動しにくくなった場合等には、蓋体８２を外して凹部１１１を開口させ、ＩＣコインＣや異物等の引っ掛かりを取り除くメンテナンス等を行うことがある。さらに、ＩＣコイン処理装置７１に必要なその他のメンテナンス等を行う際にも、蓋体８２を外して凹部１１１を開口させることがある。このような場合に蓋体８２を外すと、図１３及び図１４に示すように、ガイド溝１２０内に保持されているＩＣコインＣから蓋体８２（突設体１５０）が離隔して、コイン誘導・貯留空間１３０が開かれ、隙間Ｔ２におけるＩＣコインＣの周縁部の保持が解除されてしまう。しかしながら、そのような場合であっても、装置本体８１側において、ガイド溝１２０の一縁部に沿って保持体１３２が設けられていることにより、隙間Ｔ１にＩＣコインＣの周縁部が挿入された状態が維持される。従って、蓋体８２が外されても、ガイド溝１２０内にＩＣコインＣが安定して保持され、ガイド溝１２０内からＩＣコインＣが外れることを防止できる。特に、貯留部１０１に貯留された複数のＩＣコインＣを確実に保持することができる。
【０１３８】
特に、このＩＣコイン処理装置７１が設けられたメダル貸出機２２にあっては、上述したように、ＩＣコイン処理装置７１を筐体６０の前方に引き出すだけで、左側部８１ｅが筐体６０の外側に露出させられ、蓋体８２の開閉が可能な状態になるが、そのような場合において、ＩＣコイン処理装置７１をＹ方向に引き出したままの縦向きの姿勢で蓋体８２を開くと、ガイド溝１２０内で縦向きに保持されているＩＣコインＣが、ガイド溝１２０から落下しやすい問題がある。しかしながら、保持体１３２を設けておくことにより、ＩＣコインＣがガイド溝１２０から落下することを好適に防止できる。従って、蓋体８２を開く際に、ＩＣコイン処理装置７１の姿勢を横向きに変えたりしなくても良く、ＩＣコイン処理装置７１のメンテナンス等の作業を行いやすくすることができる。
【０１３９】
以上説明したように、かかるＩＣコイン処理装置７１によれば、ＩＣコイン処理装置７１内において、ＩＣコインＣを移動部材８１の単純な動作によって搬送することができ、ＩＣコインＣのＩＤコードの情報処理（読み取り）、ＩＣコインＣの貯留、払い出し等の諸機能を、簡単に実現することができる。ＩＣコインＣの搬送手段１７０の構造が簡単であり、ＩＣコイン処理装置７１の薄型化、コンパクト化、さらには、メダル貸出機２２全体の薄型化を図ることができる。
【０１４０】
また、貯留部１０１を構成するガイド溝１２０に、保持体１３２を設けることにより、ＩＣコインＣをガイド溝１２０内において確実に保持又は誘導することができる。例えばＩＣコイン処理装置７１のメンテナンス等の際に蓋体８２が開かれたときも、ＩＣコインＣをガイド溝１２０の内部に確実に保持することができ、ＩＣコインＣがガイド溝１２０（貯留部１０１）から外れてしまうことを防止できる。従って、ＩＣコイン処理装置７１の薄型化を図りながらも、ＩＣコイン処理装置７１のメンテナンス性を向上させることができる。さらに、保持体１３２をガイド溝１２０に沿って連続的に設けることにより、ＩＣコインＣをガイド溝１２０に沿って円滑に誘導させること、ガイド溝１２０内に確実に保持することができる。貯留部１０１だけでなく、導入路９３、ＩＤコード読み取り部９２等にも保持体１３２を設けることにより、導入路９３、ＩＤコード読み取り部９２等においても、ＩＣコインＣを確実に保持したり誘導したりすることができる。
【０１４１】
さらに、導入検出器２２１、貯留部用検出器２２３、回収検出器２２４において、投光部２３１と受光部２３３を装置本体８１に取り付けることにより、蓋体８２の構成を簡単にし、蓋体８２を薄型化することができる。従って、ＩＣコイン処理装置７１全体の幅を薄くすることができる。
【０１４２】
また、移動機構１８２においては、モータ１９３の動力を歯車１９５、１９６ａ、１９６ｂ、１９７ａ、１９７ｂ、１９８ａ、１９８ｂを介して移動体２０３に伝達させる構成とすることにより、モータ１９３の配置や姿勢の自由度を向上させることができる。即ち、ＩＣコイン処理装置７１の設計の自由度を向上させることができ、これにより、ＩＣコイン処理装置７１の薄型化を図ることができる。さらに、モータ１９３を他の機器（投入口シャッター移動機構１７１、導出路シャッター移動機構１７２、回収路シャッター移動機構１７３、上部ストッパ移動機構１７５、下部ストッパ移動機構１７６、導入検出器２２１、導出検出器２２２、貯留部用検出器２２３、回収路検出器２２４、ＩＤコード読み取り手段２２５、コイン処理装置制御モジュール２２６等）と重ならない位置、あるいは、ＩＣコインＣが通過する流路（ＩＤコード読み取り部９２、導入路９３、導出路９５、貯留部１０１、回収路１０６等）と重ならない位置に設けることにより、取り付け部１１２のスペースを有効に利用して配設することができる。これにより、装置本体８１の薄型化を図ることができる。
【０１４３】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【０１４４】
例えば以上の実施形態においては、ＩＤコードが変更できない状態でメモリ５に記録されたＩＣコインＣを例示したが、情報記録媒体とはかかるものに限定されず、また、情報記録媒体に記録される情報も、ＩＤコードのみには限定されない。例えば金額情報、顧客情報等の各種の情報を記録可能な情報記録媒体であっても良い。例えば情報を書き込み可能なメモリを内蔵したＩＣコインＣ等であっても良い。
【０１４５】
また、遊技システム１０、メダル貸出機２２、ＩＣコイン処理装置７１等の構成も、以上の実施形態に示したＩＣコイン処理装置７１の構成には限定されない。例えばＩＣコイン処理装置７１において、以上の実施形態では、ＩＣコインＣに記録されているＩＤコードの読み取りが行われるＩＤコード読み取り部９２を情報処理部として例示したが、情報処理部はかかるものに限定されず、例えば、情報記録媒体に対して情報の書き込みが行われる構成としても良い。即ち、例えばＩＤコード読み取り手段２２５に替えて、情報処理部に保持されたＩＣコインＣに対する情報の書き込み、及び、ＩＣコインＣからの情報の読み取りが可能な、情報書き込み・読み取り手段（リーダライタ）を備えても良い。また、情報処理部においてＩＣコインＣから読み取られる情報は、ＩＤコードには限定されず、例えば金額情報、顧客情報等が読み取られるようにしても良い。
【０１４６】
以上の実施形態では、保持体１３２はガイド溝１２０の一縁部、即ち、導入路９３の下縁部、ＩＤコード読み取り部９２の下縁部、及び、貯留部１０１の内周側の縁部に沿って設けられているとしたが、かかる形態には限定されず、例えば、ガイド溝１２０の反対側の縁部、即ち、導入路９３の上縁部、ＩＤコード読み取り部９２の上縁部、及び、貯留部１０１の外周側の縁部等に設けても良い。
【０１４７】
以上の実施形態では、情報記録媒体の動きを規制するための規制部材として、３つのシャッターと２つのストッパ、即ち、投入口シャッター１６１、導出路シャッター１６２、回収路シャッター１６３、上部ストッパ１６５、下部ストッパ１６６を例示したが、規制部材の種類、形状、配置、個数等は、以上のものには限定されない。例えば、導入路９３とＩＤコード読み取り部９２との間におけるＩＣコインＣの移動を規制する規制部材（ストッパ）を備えても良い。
【０１４８】
搬送手段１７０に備えられる歯車の個数は、以上の実施形態に示した８個（歯車２１５、２１６ａ、２１６ｂ、２１７ａ、２１７ｂ、２１８ａ、２１８ｂ、２０５）には限定されず、１又は２以上の任意の個数にすることができる。また、２つの歯車を一体的に回転させる構成、即ち、複合歯車部材２１６、２１７、２１８を含むものには限定されない。歯車の種類も、ウォーム、ウォームホイール、平歯車などには限定されない。さらに、歯車の配置、モータ１９３の配置や向き等も、以上の実施形態において説明したものは限定されない。
【０１４９】
また、以上の実施形態では、情報記録媒体の存在の有無を検出する情報記録媒体検出器として、導入検出器２２１、導出検出器２２２、貯留部用検出器２２３、回収路検出器２２４を例示したが、情報記録媒体検出器の配置は、これらのものには限定されず、他の箇所に設けても良い。また、情報記録媒体検出器の個数も、これらの４個には限定されず、任意の複数個にすることができる。
【０１５０】
以上の実施形態では、紙幣Ｅ又はＩＣコインＣのいずれかの投入に基づいてメダルＭを貸し出すメダル貸出機２２について説明したが、本実施形態は、紙幣Ｅ、硬貨等の現金に基づく貸し出しを行わず、コインＣのみの投入に基づいて遊技媒体を貸し出す遊技媒体貸出機に応用することもできる。
【０１５１】
以上の実施形態では、遊技機としてはスロットマシン２１を例示し、遊技媒体としてはメダルＭを例示し、遊技媒体貸出機としては、スロットマシン用のメダルＭを貸し出すメダル貸出機２２を例示したが、遊技機、遊技媒体、遊技媒体貸出機は、上記のものに限定されない。例えば、遊技機はパチンコ台、遊技媒体はパチンコ玉であっても良く、遊技媒体貸出機は、パチンコ玉を貸し出す玉貸機であっても良い。
【０１５２】
さらに、情報記録媒体処理装置は、遊技機を備えた遊技システムにおいて使用されるものには限定されず、遊技機を用いた遊技以外の各種のサービスを提供するシステムにおいても、情報記録媒体に関する各種の情報を処理する装置に、広く適用することができる。例えば、ポイントサービス機能を付加したコインランドリー等の施設において、ＩＣコインに与えられたポイント（店側から利用客に対して例えばコインランドリーの利用回数等の条件に応じて発行される点数）の変更等、ＩＣコインに付与された情報を処理する情報記録媒体処理装置に適用できる。また、ＩＣコインを金銭代用媒体として取り扱う各種の商品販売機等において、ＩＣコインに与えられた金額価値の変更等を行う情報記録媒体処理装置にも適用できる。
【産業上の利用可能性】
【０１５３】
本発明は、例えばスロットマシン、パチンコ機等の遊技機が設置された遊技店等において用いられる情報記録媒体を処理する装置に適用できる。
【図面の簡単な説明】
【０１５４】
【図１】ＩＣコインの構成を説明する斜視図である。
【図２】遊技システムの構成を説明する説明図である。
【図３】メダル貸出機の斜視図である。
【図４】メダル貸出機の内部構造を示した斜視図である。
【図５】メダル貸出機に内蔵された各装置間の回路構成を示したブロック図である。
【図６】本実施形態にかかるＩＣコイン処理装置の左側面図である。
【図７】ＩＣコイン処理装置の右側面図である。
【図８】蓋体を開いた状態のＩＣコイン処理装置を示した斜視図である。
【図９】蓋体を省略してＩＣコイン処理装置の内部構造を示した断面図である。
【図１０】ＩＣコイン処理装置の概略的な部分断面図である。
【図１１】ガイド溝の上部側を拡大して示した断面図である。
【図１２】ガイド溝の下部側を拡大して示した断面図である。
【図１３】ガイド溝の上部側において蓋体を外した状態を示した断面図である。
【図１４】ガイド溝の上部側において蓋体を外した状態を示した断面図である。
【図１５】投入口シャッター移動機構の構成を説明する説明図である。
【図１６】移動体（回動部材）の動作を説明する説明図である。
【図１７】投入検出器（貯留部用検出器）の構成を説明する部分断面図である。
【図１８】ＩＣコイン処理装置に内蔵された各機器間の回路構成を示したブロック図である。
【図１９】ＩＣコイン処理装置の内部構造を概略的に表し、待機状態を示した概略側面図である。
【図２０】ＩＣコイン処理装置のコイン投入禁止状態を示した概略側面図である。
【図２１】ＩＣコイン処理装置のコイン移動処理の様子を示した概略側面図である。
【図２２】ＩＣコイン処理装置のＩＤコード読み取り可能状態を示した概略側面図である。
【図２３】ＩＣコイン処理装置のコイン払出処理（コイン排出処理）の様子を示した概略側面図である。
【図２４】ＩＣコイン処理装置のコイン貯留処理の様子を示した概略側面図である。
【図２５】ＩＣコイン処理装置の第二の待機状態を示した概略側面図である。
【図２６】ＩＣコイン処理装置においてコイン回収処理が行われる直前の状態を示した概略側面図である。
【図２７】ＩＣコイン処理装置のコイン回収処理において、ＩＣコインがＩＤコード読み取り部から移動させられる様子を示した概略側面図である。
【図２８】ＩＣコイン処理装置のコイン回収処理において、ＩＣコインが回収部に回収される様子を示した概略側面図である。
【符号の説明】
【０１５５】
Ｃ      ＩＣコイン
２２    メダル貸出機
７１    ＩＣコイン処理装置
８１    装置本体
８２    蓋体
９１    投入口
９２    ＩＤコード読み取り部
９３    導入路
９４    払出口
９５    導出路
１０１  貯留部
１０５  回収口
１０６  回収路
１２０  ガイド溝
１３２  保持体
１９１  回動部材
１９３  モータ
１９３ａ  回転軸
２０３  移動体
２１５  歯車
２１６、２１７、２１８、２１９  複合歯車部材
２１６ａ、２１６ｂ、２１７ａ、２１８ａ、２１８ｂ  歯車
２２１  導入検出器
２２２  導出検出器
２２３  貯留部用検出器
２２４  回収検出器
２３１  投光部
２３２  反射部
２３３  受光部
【図１】
0005132898.tif 000002
【図２】
0005132898.tif 000003
【図３】
0005132898.tif 000004
【図４】
0005132898.tif 000005
【図５】
0005132898.tif 000006
【図６】
0005132898.tif 000007
【図７】
0005132898.tif 000008
【図８】
0005132898.tif 000009
【図９】
0005132898.tif 000010
【図１０】
0005132898.tif 000011
【図１１】
0005132898.tif 000012
【図１２】
0005132898.tif 000013
【図１３】
0005132898.tif 000014
【図１４】
0005132898.tif 000015
【図１５】
0005132898.tif 000016
【図１６】
0005132898.tif 000017
【図１７】
0005132898.tif 000018
【図１８】
0005132898.tif 000019
【図１９】
0005132898.tif 000020
【図２０】
0005132898.tif 000021
【図２１】
0005132898.tif 000022
【図２２】
0005132898.tif 000023
【図２３】
0005132898.tif 000024
【図２４】
0005132898.tif 000025
【図２５】
0005132898.tif 000026
【図２６】
0005132898.tif 000027
【図２７】
0005132898.tif 000028
【図２８】
0005132898.tif 000029